(57)【要約】  格子媒体の異なる領域にわたって、櫛状にシフトされたホログラムのセットを有する光学システムが開示される。ホログラムの第１のセットが、格子媒体の第１の領域内に形成され得、ホログラムの第２のセットが、格子媒体の第２の領域内に形成され得る。第１のセット内のホログラムのそれぞれは、格子周波数の第１のセットからのそれぞれ異なる格子周波数を有し得る。第２のセット内のホログラムのそれぞれは、格子周波数の第２のセットからのそれぞれ異なる格子周波数を有し得る。格子周波数の第２のセットは、格子周波数の第１のセット内の格子周波数間の近接周波数ギャップ内に位置し得る。櫛状にシフトされたホログラムのセットは、瞳孔等化、出力結合、入力結合、クロス結合、又は他の操作を実施するために使用され得る。
2020536280.tif 000002
【特許請求の範囲】
【請求項１】
格子媒体と、
前記格子媒体の第１の領域にあるホログラムの第１のセットであって、前記第１のセット内の前記ホログラムのそれぞれが、前記第１のセット内の他のホログラムのそれぞれに少なくとも部分的に重なり、前記第１のセット内の前記ホログラムのそれぞれが、格子周波数の第１のセットからのそれぞれ異なる格子周波数を有する、ホログラムの第１のセットと、
前記格子媒体の第２の領域にあるホログラムの第２のセットであって、前記第２のセット内の前記ホログラムのそれぞれが、前記第２のセット内の他のホログラムのそれぞれに少なくとも部分的に重なり、前記第２のセット内の前記ホログラムのそれぞれが、格子周波数の第２のセットからのそれぞれ異なる格子周波数を有し、格子周波数の前記第２のセットが、格子周波数の前記第１のセット内の前記格子周波数間の近接周波数ギャップ内に位置している、ホログラムの第２のセットと、を備える光学デバイス。
【請求項２】
ホログラムの前記第１のセットは、第１の格子周波数を有する第１のホログラムと、前記第１の格子周波数から第１の近接周波数ギャップによって隔てられた第２の格子周波数を有する第２のホログラムと、を含む、請求項１に記載の光学デバイス。
【請求項３】
ホログラムの前記第２のセットは、第３の格子周波数を有する第３のホログラムと、前記第３の格子周波数から第２の近接周波数ギャップによって隔てられた第４の格子周波数を有する第４のホログラムと、を含む、請求項２に記載の光学デバイス。
【請求項４】
前記第３の格子周波数は、前記第１の近接周波数ギャップ内にある、請求項３に記載の光学デバイス。
【請求項５】
前記第２の格子周波数は、前記第２の近接周波数ギャップ内にある、請求項４に記載の光学デバイス。
【請求項６】
前記第１のセット内の前記ホログラムのそれぞれは、所与の方向に光を回折させるように構成されており、前記第２のセット内の前記ホログラムのそれぞれは、前記所与の方向に光を回折させるように構成されている、請求項５に記載の光学デバイス。
【請求項７】
ホログラムの前記第１のセットの平均近接周波数ギャップが、４．０  ｓｉｎｃピーク−ｓｉｎｃヌルよりも大きい、請求項５に記載の光学デバイス。
【請求項８】
前記格子媒体並びにホログラムの前記第１及び第２のセットを含む、出力カプラを更に備える、請求項１に記載の光学デバイス。
【請求項９】
前記格子媒体並びにホログラムの前記第１及び第２のセットを含む、入力カプラを更に備える、請求項１に記載の光学デバイス。
【請求項１０】
前記光学デバイスは、クロスカプラ、入力カプラ、出力カプラ、ダイヤモンド拡張器、及びインターリーブカプラからなる群から選択される光学デバイスを備える、請求項１に記載の光学デバイス。
【請求項１１】
前記第１のセット内の前記ホログラムのそれぞれは、所与の角度から０．５０度以内にある格子ベクトルを有し、前記光学デバイスは、前記格子媒体内の４つの対応する追加領域内にホログラムの４つの追加セットを更に含み、ホログラムの前記４つの追加セットのそれぞれは、前記近接周波数ギャップ内の格子周波数を有する、請求項１に記載の光学デバイス。
【請求項１２】
第１及び第２の領域を有する格子媒体であって、前記第２の領域が、第１及び第２のサブ領域を有する、格子媒体と、
前記第１の領域にあるホログラムの第１のセットであって、入力光の第１の部分を第１の方向に回折させるように、かつ前記入力光の第２の部分を前記第２の領域に通過させるように構成されている、ホログラムの第１のセットと、
前記第１のサブ領域にあるホログラムの第２のセットと、
前記第２のサブ領域にあるホログラムの第３のセットであって、ホログラムの前記第２及び第３のセットが、前記入力光の前記第２の部分を、前記第１の方向とは異なる第２の方向に回折させるように構成されており、ホログラムの前記第３のセットが、ホログラムの前記第２のセットに対して櫛状にシフトされている、ホログラムの第３のセットと、を備える光学システム。
【請求項１３】
ホログラムの前記第２のセットは、近接周波数ギャップによって隔てられた第１の格子周波数を有し、ホログラムの前記第３のセットは、前記第１の格子周波数の前記近接周波数ギャップ内にある第２の格子周波数を有する、請求項１２に記載の光学システム。
【請求項１４】
ホログラムの前記第２のセットの平均近接周波数ギャップが、４．０  ｓｉｎｃピーク−ｓｉｎｃヌルよりも大きい、請求項１３に記載の光学システム。
【請求項１５】
前記第１のサブ領域は、前記格子媒体の前記第２のサブ領域と前記第１の領域との間に介在している、請求項１３に記載の光学システム。
【請求項１６】
ホログラムの前記第１のセットは、前記所与の方向に向けられた第１の格子ベクトルを有し、ホログラムの前記第２のセットは、前記所与の方向に向けられた第２の格子ベクトルを有し、ホログラムの前記第３のセットは、前記所与の方向に向けられた第３の格子ベクトルを有する、請求項１３に記載の光学システム。
【請求項１７】
前記格子媒体は第３の領域を有し、前記第２の領域は、前記第１の領域と前記第３の領域との間に介在しており、前記光学システムは、
前記第３の領域にあるホログラムの第４のセットであって、ホログラムの前記第２及び第３のセットによって回折されない光の前記第２の部分の少なくとも一部を、前記第１及び第２の方向とは異なる第３の方向に回折させるように構成されている、ホログラムの第４のセットを更に備える、請求項１６に記載の光学システム。
【請求項１８】
第１及び第２の基材と、
前記第１の基材と前記第２の基材との間の格子媒体であって、重なり合わない第１及び第２の領域を有する、格子媒体と、
前記第１の領域内の同位置にある第１及び第２のホログラムであって、前記第１のホログラムが第１の格子周波数を有し、前記第２のホログラムが、前記第１の格子周波数から近接周波数ギャップによって隔てられた第２の格子周波数を有する、第１及び第２のホログラムと、
前記第２の領域内の同位置にある第３及び第４のホログラムであって、前記第３のホログラムが、前記近接周波数ギャップ内の第３の格子周波数を有する、第３及び第４のホログラムと、を備えるヘッドマウントディスプレイデバイス。
【請求項１９】
前記第４のホログラムは、前記第３の格子周波数から追加の近接周波数ギャップによって隔てられた第４の格子周波数を有し、前記第２の格子周波数は、前記追加の近接周波数ギャップ内にある、請求項１８に記載のヘッドマウントディスプレイ。
【請求項２０】
画像担持光を提供するための光源であって、前記第１及び第２のホログラム並びに前記第３及び第４のホログラムが、前記画像担持光の少なくとも一部を、前記第２の基材の表面から一定の距離にある射出瞳孔の方へ回折させるように構成されている、光源を更に備える、請求項１９に記載のヘッドマウントディスプレイ。
【発明の詳細な説明】
【背景技術】
【０００１】
従来の誘電体ミラーは、電気的誘電率が互いに異なる材料の層で表面（典型的にはガラス）をコーティングすることによって製造される。材料の層は、典型的には、層境界からのフレネル反射が強めあう強化をして、大きな純反射率をもたらすように配置される。比較的広範な指定範囲の波長及び入射角にわたってこの条件が取得することを保証することにより、広帯域の誘電体ミラーを設計することができる。しかしながら、層が表面に堆積されるので、誘電体ミラーの反射軸は面法線と必然的に一致する（すなわち、反射軸はミラー表面に対して垂直である）。反射軸に対するこの制約のために、いくつかのデバイスでは、誘電体ミラーは最適に及ばない構成で配設される。同様に、反射軸が面法線に制約されているために、目的によっては誘電体ミラーが全く不十分なものとなる。その上に、ガラス誘電体ミラーは比較的重くなりがちで、比較的軽量の反射部品を必要する応用例向けには最適に及ばないか又は不適当である。
【０００２】
反対に、既存の格子構造は、格子構造が存在する媒体の面法線と異なる反射軸に関する光を反射することができる。しかしながら、所与の入射角に対して、既存の格子構造の反射角は、典型的には入射光の波長とともに共変する。したがって、光を反射するために従来の格子構造を用いることにより、反射軸が面法線と一致するという従来のミラーに内在する制約が回避される。しかしながら、実質的に一定の反射軸が必要な場合、既存の格子構造は、所与の入射角に対して、実質的に単一の波長（又は非常に狭い範囲の波長）に限定される。同様に、特定の波長の光を一定の反射軸を中心にして反射するために、従来の格子構造は、単一の入射角（又は非常に狭い入射角範囲）に限定される。
【０００３】
したがって、面法線に制約されない反射軸を中心にして光を反射し、所与の入射角に関する反射角が入射角範囲にわたって一定である比較的単純なデバイスに対する要求は、反射格子構造又は従来のミラーのいずれかを備える現在利用可能な反射デバイスによっては満足されない。したがって、そのような反射デバイスの必要性が存在し、かかる必要性はヘッドマウントディスプレイデバイスにおいて喫緊のものである。
【発明の概要】
【０００４】
記述された特徴は一般に、光を回折させる１つ以上の改良された方法、システム、又はデバイス、及び格子構造を備える光学回折デバイスに関する。方法、システム、又はデバイスは、櫛状シフト式スキューミラーを用い得る。
【０００５】
いくつかの例では、光学デバイスが、格子媒体と、格子媒体の第１の領域にあるホログラムの第１のセットと、格子媒体の第２の領域にあるホログラムの第２のセットと、を含み得る。第１のセット内のホログラムのそれぞれは、第１のセット内の他のホログラムのそれぞれに少なくとも部分的に重なり得る。第１のセット内のホログラムのそれぞれは、格子周波数の第１のセットからのそれぞれ異なる格子周波数を有し得る。第２内のホログラムのそれぞれは、第２のセット内の他のホログラムのそれぞれに少なくとも部分的に重なり得る。第２のセット内のホログラムのそれぞれは、格子周波数の第２のセットからのそれぞれ異なる格子周波数を有し得る。格子周波数の第２のセットは、格子周波数の第１のセット内の格子周波数間の近接周波数ギャップ内に位置し得る。
【０００６】
いくつかの例では、光学システムが、櫛状シフト式スキューミラーを使用して瞳孔等化を実施し得る。例えば、光学システムは、第１及び第２の領域を有する格子媒体を含み得、第２の領域は、第１及び第２のサブ領域を有する。ホログラムの第１のセットが、第１の領域内に形成され得、そこでは、ホログラムの第１のセットは、入力光の第１の部分を第１の方向に回折させるように、かつ入力光の第２の部分を第２の領域に通過させるように構成されている。ホログラムの第２のセットが、第１のサブ領域内に形成され得る。ホログラムの第３のセットが、第２のサブ領域内に形成され得る。ホログラムの第２及び第３のセットは、入力光の第２の部分を、第１の方向とは異なる第２の方向に回折させるように構成されていてもよい。ホログラムの第３のセットは、ホログラムの第２のセットに対して櫛状にシフトされ得る。
【０００７】
いくつかの例では、ヘッドマウントディスプレイデバイスが、第１及び第２の基材と、第１の基材と第２の基材との間の格子媒体と、を含み得る。格子媒体は、重なり合わない第１及び第２の領域を有し得る。同位置にある第１及び第２のホログラムが、第１の領域内に形成され得る。第１のホログラムは、第１の格子周波数を有し得、第２のホログラムは、第１の格子周波数から近接周波数ギャップによって隔てられた第２の格子周波数を有し得る。同位置にある第３及び第４のホログラムが、第２の領域内に形成され得る。第３のホログラムは、近接周波数ギャップ内の第３の格子周波数を有し得る。
【０００８】
【０００９】
【００１０】
【００１１】
【００１２】
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【図面の簡単な説明】
【００３４】
以下の図面を参照することにより、本開示の実装形態の特質及び利点の更なる理解が実現され得る。添付図では、類似のコンポーネント又は機構は同一の参照符号を有し得る。更に、同一のタイプの種々のコンポーネントは、参照符号にダッシュが続くことにより、また、類似のコンポーネント間を識別する第２の符号によって識別されることがある。明細書において第１の参照符号だけが使用されている場合には、その説明は、第２の参照符号に関係なく同一の第１の参照符号を有する類似のコンポーネントのうちの任意のものに当てはまる。
【００３５】
【図１】いくつかの実施形態による、本明細書に含まれる原理が実施され得る例示的なヘッドマウントディスプレイ（ＨＭＤ）の図である。
【００３６】
【図２Ａ】いくつかの実施形態による、実空間における例示的なスキューミラーの反射特性を示す図である。
【００３７】
【図２Ｂ】いくつかの実施形態による、ｋ空間における例示的なスキューミラーの図である。
【００３８】
【図３Ａ】いくつかの実施形態による、スキューミラー射出瞳孔等化を組み込んだ例示的な光学システムの図である。
【００３９】
【図３Ｂ】いくつかの実施形態によるスキューミラー瞳孔等化に対応する例示的なプロットである。
【００４０】
【図４Ａ】いくつかの実施形態によるスキューミラー瞳孔等化に対応する例示的な光学構造の斜視図である。
【００４１】
【図４Ｂ】いくつかの実施形態によるスキューミラー瞳孔等化に対応する例示的な光学構造の平面図である。
【図４Ｃ】いくつかの実施形態によるスキューミラー瞳孔等化に対応する例示的な光学構造の平面図である。
【００４２】
【図５】いくつかの実施形態による、複数の格子構造を有する例示的な光学部品の図である。
【００４３】
【図６】いくつかの実施形態による、スキューミラーを製造するために使用できる例示的なシステムの図である。
【００４４】
【図７】いくつかの実施形態による、近接周波数ギャップを呈するホログラムのセットに関する、例示的なｋ空間及び回折光応答のプロットを示す。
【００４５】
【図８】いくつかの実施形態による、例示的な櫛状シフト式スキューミラーが、ホログラムの櫛状にシフトされたセットを格子媒体の異なる領域内にどのように含み得るかを示す。
【００４６】
【図９】いくつかの実施形態による、スキューミラーの応答を測定するために使用され得る例示的な測定システムの図である。
【００４７】
【図１０】いくつかの実施形態による、櫛状シフトを伴わないスキューミラーに関する、回転角の関数としての強度のプロットである。
【００４８】
【図１１】いくつかの実施形態による、格子媒体の異なる領域内に櫛状にシフトされたホログラムのセットを有する例示的な櫛状シフト式スキューミラーに関する、回転角の関数としての強度のプロットである。
【００４９】
【図１２】いくつかの実施形態による、櫛状シフトを伴わないスキューミラー及び例示的な櫛状シフト式スキューミラーに関する、射出瞳孔位置の関数としての回折効率及び回折パワーのプロットを示す。
【００５０】
【図１３】いくつかの実施形態による、瞳孔等化を実施する出力カプラにおいて、例示的な櫛状シフト式スキューミラーがどのように実施され得るかを示す図である。
【００５１】
【図１４】いくつかの実施形態による、入力カプラにおいて、例示的な櫛状シフト式スキューミラーがどのように実施され得るかを示す図である。
【発明を実施するための形態】
【００５２】
光学ヘッドマウントディスプレイ（head-mounted display、ＨＭＤ）は、投影画像を反射する能力を有し、またユーザが拡張現実感を経験することを可能にする、ウェアラブルデバイスである。ヘッドマウントディスプレイは典型的に、「仮想」画像を作り出すニアアイ光学部品を伴う。過去には、ＨＭＤは、画質を低下させ、重量及びサイズを増加させる、様々な技術的制限に対処してきた。過去の実装形態は、光の反射、屈折、又は回折のための既存の光学部品を含んでいるが、設計が大きくなる傾向がある。加えて、既存のミラー及び格子構造には生来の制約がある。例えば、既存のミラーは、面法線と必ず一致する反射軸を有し得る。既存のミラーの反射軸は、最適に及ばないミラーの向き又は性能をもたらし得る。また、既存の格子構造は、入射角及び／又は波長によって、受け入れがたいほど共変する複数の反射軸を含み得る。
【００５３】
それゆえに、光を反射するデバイスは、所与の入射角に対する反射角が複数の波長において一定である光を、面法線に拘束されない反射軸を中心として反射する機能を含み得る。このデバイスの実施形態は、所与の波長の入射光に対して、入射角の範囲にわたって実質的に一定の反射軸を有し得（すなわち反射軸の角度の変化が１．０度未満である反射軸）、この現象は様々な波長の入射光に対して観測され得る。いくつかの実施形態では、反射軸は、複数の入射角のセット及び複数の波長のセットのすべての組み合わせについて実質的に一定のままである。本開示の態様は、当初は、スキューミラーから所定距離にあるアイボックスの方へ光を反射する装置のコンテキストにおいて説明される。具体的な例は、格子媒体を含む装置について説明される。格子媒体は、１つ以上の格子構造を含み得る。格子構造は、格子媒体の面法線からオフセットされた反射軸に関して、特定の複数の入射角において、特定の波長の光を反射するように構成されていてもよい。本開示の態様は、櫛状シフト式スキューミラーに関連する装置の図及びシステムの図を参照して更に示され説明される。
【００５４】
この説明は例を提供するものであり、本明細書で説明された原理の実装形態の範囲、適用可能性又は構成を限定するようには意図されていない。むしろ、次の説明は、当該技術分野に精通している者に、本明細書で説明された原理の実施形態の実施を可能にする説明を提供するはずである。要素の機能及び機構において様々な変更形態が作製され得る。
【００５５】
したがって、様々な実装形態が、必要に応じて、様々なプロシージャ又は部品を省略するか、代用するか、又は追加する可能性がある。例えば、方法は、説明されたのと異なる順番で行われてよく、種々のステップが追加されるか、省略されるか、又は組み合わされてよいことを理解されたい。また、特定の実装形態に関して説明された態様及び要素は、種々の他の実装形態では組み合わされてよい。以下のシステム、方法、デバイス、及びソフトウェアは、個々に、又は総体として、より大きなシステムの部品でよく、ここにおいて、それらの適用に対して他のプロシージャが優先してよく、又は変更してよいことも理解されたい。
【００５６】
図１は、本明細書に含まれる原理が実施され得るヘッドマウントディスプレイ（ＨＭＤ）１００の図である。ＨＭＤ１００は、ニアアイディスプレイ（near-eye display、ＮＥＤ）１０５がユーザの目の前に固定され得る、アイウエア又はヘッドウェアを含み得る。ＮＥＤ１０５は、ＨＭＤ１００のレンズ組立体の内部に配置されるか又は組み込まれる、回折要素部分を含み得る。いくつかの例では、回折要素部分は、スキューミラー１１０で構成されていてもよいホログラフィック光学要素（holographic optical element、ＨＯＥ）である。スキューミラー１１０に関して座標（ｘ軸、ｙ軸、及びｚ軸）が与えられている。ＨＭＤ１００は、レンズ組立体に動作可能に結合される光源又は投光器１１５を含み得る。いくつかの例では、光源又は投光器１１５は、導波路構成のレンズ組立体に動作可能に結合され得る。いくつかの例では、光源又は投光器１１５は、自由空間構成のレンズ組立体に動作可能に結合され得る。
【００５７】
スキューミラー１１０は、体積ホログラム又は他の格子構造が内部にある格子媒体を含み得る、反射デバイスである。スキューミラー１１０は、本明細書では体積ホログラフィック格子構造１１０と称される場合がある。スキューミラー１１０は、ガラスカバー又はガラス基材などの追加の層を含んでいてもよい。追加の層は、汚染、湿気、酸素、反応性化学種、被害などから格子媒体を保護するのに役立ち得る。追加の層は、格子媒体に対して屈折率がマッチされてもよい。格子媒体は、格子構造を内蔵することで、反射軸と称される軸を中心として光を回折させ得る物理的性質を有し、所与の入射角で格子媒体に入射する光の複数の波長に関する回折角（今後、反射角と称される）の変化は１°未満である。一部の場合には、回折角は、複数の波長及び／又は入射角に関して一定でもある。一部の場合には、格子構造は１つ以上のホログラムによって形成される。１つ以上のホログラムは、いくつかの実装形態では体積位相ホログラムであり得る。格子構造の種々の実装形態において、他のタイプのホログラムも使用され得る。
【００５８】
同様に、実装形態は典型的に、所与の波長の入射光に関して、入射角の範囲にわたって実質的に一定の反射軸を有し（すなわち反射軸の角度の変化が１°未満である反射軸）、この現象は種々の波長の入射光に対して観測され得る。いくつかの実装形態では、反射軸は、１組の複数の入射角及び１組の複数の波長のすべての組み合わせについて実質的に一定のままである。
【００５９】
ホログラムは干渉パターンの記録でよく、記録に使用された光からの強度情報と位相情報の両方を含み得る。この情報は、感光性媒体に記録され得、同媒体は、干渉パターンを、初期の干渉パターンの強度に従って以後の入射光ビームの振幅又は位相を変化させる光学要素に転換する。格子媒体は、フォトポリマー、光屈折結晶、ニクロム酸化ゼラチン、光−熱−屈折性ガラス、分散ハロゲン化銀粒子含有膜、又は入射干渉パターンに反応して同パターンを記録する能力を有する他の材料を含み得る。一部の場合には、記録されたホログラムを読み取り、かつ／又は記録するためにコヒーレントなレーザ光が使用され得る。
【００６０】
一部の場合には、ホログラムは、記録ビームとして知られている２つのレーザビームを使用して記録され得る。一部の場合には、記録ビームは、格子媒体に入射する角度を除けば互いに類似している単色のコリメートされた平面波ビームであり得る。いくつかの実装形態では、記録ビームは、互いに異なる振幅分布又は位相分布を有し得る。記録ビームは、記録媒体の内部で交差するように導かれ得る。記録ビームが交差する場所で、それらは、記録媒体と相互作用し、同媒体を干渉パターンの各点の強度に従って変化させる。これにより、記録媒体内に様々な光学特性のパターンが作り出される。例えば、一部の実施形態では、記録媒体の内部で屈折率が変化し得る。一部の場合には、結果として生じる干渉パターンは、（例えばマスクなどを用いて）格子媒体に記録されたそのような格子構造のすべてにわたって均一な空間分布になり得る。一部の場合には、波長又は入射角を変化させて記録媒体の内部で異なる干渉パターンを作成することにより、単一の記録媒体の内部で複数の格子構造が重ね合わされてよい。一部の場合には、１つ以上のホログラムが媒体に記録された後、媒体は、記録後の光処理において、光を用いて処理されてよい。記録媒体の感光性を大幅に低下させるか又は無くすように、光開始剤又は光活性モノマーなどの残存する反応性媒体成分を実質的に消尽するために、記録後の光処理は非コヒーレント性の高い光を用いて行われ得る。ホログラム又は他の格子構造を記録媒体に記録した後、媒体は、典型的には格子媒体と称される。格子媒体は典型的に、非感光性にされている。
【００６１】
いくつかの実装形態では、格子構造は、記録ビームと称される複数の光ビーム間の干渉によって生じたホログラムを含む。典型的には、必ずしもそうではないが、格子構造は複数のホログラムを含む。複数のホログラムは、複数のホログラムの間で格子媒体に入射する角度が変化する（すなわち角度多重化）記録ビーム、及び／又は複数のホログラムの間で波長が変化する（すなわち波長多重化）記録ビームを使用して記録され得る。いくつかの実装形態では、格子構造は、ホログラムが記録される最中に格子媒体への入射角が変化する２つの記録ビーム、及び／又はホログラムが記録される最中に波長が変化する２つの記録ビームを使用して記録されたホログラムを含む。実装形態は、反射軸が、格子媒体の面法線と、少なくとも１．０度、２．０度、４．０度、又は９．０度だけ異なるデバイスを更に含む。
【００６２】
投光器１１５は、レンズ組立体に画像を含んだ光を供給し得る。いくつかの例では、レンズ組立体及びスキューミラー１１０は、ｘ−ｙ面に関して実質的に平坦であり得る。しかし、レンズ組立体は、特定の実装形態ではｘ−ｙ面に関して若干の曲率を有し得る。スキューミラー１１０からの反射光１２０は、スキューミラー１１０からｚ軸に沿って所定距離にあるアイボックスの方へ反射され得る。いくつかの例では、スキューミラー１１０は、導波路の内部に少なくとも部分的に包含されてよい。導波路は、全内部反射による入射光１３０をスキューミラー１１０の方へ伝搬させてよい。いくつかの例では、入射光１３０は、自由空間によってスキューミラー１１０の方へ伝搬してよい。スキューミラー１１０は、フォトポリマーで作製された格子媒体を含み得る。スキューミラー１１０は、格子媒体の内部に１つ以上の格子構造も含み得る。各格子構造は、互いに重なり合ってよい１つ以上の正弦曲線の体積格子を含み得る。格子構造は、格子媒体の面法線からオフセットされた反射軸に関して、特定の複数の入射角において、特定の波長の光を反射するように構成されていてもよい。格子媒体内の各格子構造は、導波路から所定距離にあるアイボックスの射出瞳孔の方へ光の一部分を反射するように構成されていてもよい。
【００６３】
各格子構造は、別の格子構造とは異なる様式で光を反射し得る。例えば、第１の格子構造は、第１の入射角における第１の波長の入射光を反射してもよく、第２の格子構造は、第１の入射角における第２の波長の入射光を反射してもよい（例えば、異なる格子構造を、同じ入射角の入射光に対して異なる波長の光を反射するように構成されていてもよい）。また、第１の格子構造は、第１の入射角における第１の波長の入射光を反射してよく、第２の格子構造は、第２の入射角における第１の波長の入射光を反射してよい（例えば、異なる格子構造は、異なる入射角の入射光に関して同一の波長の光を反射するように構成されていてもよい）。その上、格子構造は、第１の波長及び第１の入射角の第１の入射光を反射してよく、第２の波長及び同一の反射軸に関する第２の入射角における第２の入射光を反射してよい。このように、所与の入射角における入射光に関して特定の波長の光を選択的に反射するために、異なる格子構造を使用することができる。これらの異なる格子構造は、スキューミラー１１０の格子媒体の内部で重ね合わされ得る。スキューミラー１１０は、実質的に一定の反射軸を有し得る（例えば、スキューミラー１１０の各格子構造が、実質的に同一の反射軸を有する）。
【００６４】
いくつかの例では、ヘッドマウントディスプレイデバイスは、画像担持光を供給する光源又は投光器１１５と、レンズ組立体と、を備え得る。レンズ組立体は、スキューミラー１１０を含み得る。レンズ組立体は、光源又は投光器１１５から画像を含んだ光を受光するための光入力部分を備え得る。導波路は、レンズ組立体の内部に配置されて、光入力部分に動作可能に結合され得る。導波路は、少なくとも２つの基材（図示せず）と、少なくとも２つの基材の間に配置された格子媒体と、格子媒体内の第１の格子構造と、格子媒体内の第２の格子構造と、を備え得る。いくつかの例では、導波路が省略されてよく、光源又は投光器１１５が、自由空間構成のレンズ組立体に動作可能に結合され得る。第１の格子構造は、格子媒体の面法線からずれた第１の格子構造の第１の反射軸を中心として、ある波長の光を反射するように構成されていてもよい。第１の格子構造は、第１の入射角の光を反射するように構成されていてもよい。第２の格子構造は、第１の格子構造に少なくとも部分的に重ならないように構成されていてもよい。第２の格子構造は、第１の格子構造によって反射される光と同じ波長の光を反射するように構成されていてもよい。第２の格子構造は、格子媒体の面法線からずれた第２の格子構造の第２の反射軸を中心として、ある波長の光を反射するように構成されていてもよい。第２の格子構造は、第１の入射角とは異なる第２の入射角の光を反射するように構成されていてもよい。
【００６５】
図２Ａは、一例による、現実空間におけるスキューミラー２１０の反射特性を示す断面図２００である。断面図２００は、格子媒体の中にホログラム２３０などの格子構造を含み得る。図２Ａでは、格子媒体のための基材又は保護層として働き得る追加の層などの、格子媒体とは別のスキューミラー部品は省略されている。基材又は保護層は、汚染、湿気、酸素、反応性化学種、被害などから格子媒体を保護するのに役立ち得る。瞳孔等化のためのスキューミラーの実装形態は、部分反射でよい。このようにして、瞳孔等化のためのスキューミラーは、アイボックスの方に射出瞳孔を形成するために必要とされる光線を選択的に反射するように構成されていてもよい。瞳孔等化のためのスキューミラーは、反射しても所望の射出瞳孔の方に向かわないエリアに特定の入射角の光線を反射しないように構成されていてもよい。いくつかのスキューミラーの実施形態の実装形態は、結果として得られた格子媒体の比較的広い波長帯域幅及び角度範囲にわたって高い反射率を達成するために、ダイナミックレンジが比較的大きい記録媒体を必要とし得る。対照的に、瞳孔等化のためのスキューミラーが必要とするダイナミックレンジはより小さくてもよく、それによって、各ホログラムをより強くすることができる（例えば、より高い強度及び／又はより長い露光時間で記録される）。より強いホログラムからなるスキューミラーは、より明るい画像を提供するか、又はより暗い投光器によって等しい輝度の画像を提供することを可能にする。
【００６６】
スキューミラー２１０は、ｚ軸に関して測定された角度を有する反射軸２２５によって特徴付けられる。ｚ軸はスキューミラー軸２０５に対して垂直である。スキューミラー２１０は、ｚ軸に関して測定された内部入射角を有する入射光２１５で照光される。主反射光２２０は、スキューミラー２１０の表面に対して実質的に垂直な内部反射角軸で反射され得る。いくつかの例では、主反射光２２０は、可視スペクトルの赤色領域、緑色領域、及び青色領域に存在する光の波長に対応し得る。例えば、可視スペクトルの赤色領域、緑色領域、及び青色領域は、赤色波長（例えば６１０〜７８０ｎｍ）の帯域、緑色波長（例えば４９３〜５７７ｎｍ）の帯域、及び青色波長（例えば４０５〜４９２ｎｍ）の帯域を含み得る。他の例では、主反射光２２０は、可視スペクトル（例えば赤外波長及び紫外波長）の外部に存在する光の波長に対応してよい。
【００６７】
スキューミラー２１０は、すべてが実質的に同一の反射軸２２５を共有する複数のホログラム領域を有し得る。しかしながら、これらの複数の領域は、それぞれが、異なる範囲の入射角の光を反射する可能性がある。例えば、スキューミラー２１０を包含しているＨＯＥのうちの下部の３分の１は、光を上方に、対応するアイボックスの方へ反射する格子構造のサブセットしか包含しなくてよい。次いで、中央の３分の１は、対応するアイボックスの方へ光を直接反射してよい。次いで、上部の３分の１は、光を下方に、対応するアイボックスの方へ反射する格子構造のサブセットを包含している必要がある。
【００６８】
図２Ｂは、図２Ａのスキューミラー２１０のｋ空間表現２５０を示す。空間的に変化する屈折率成分のｋ空間分布は典型的に、
【数１】
2020536280.tif 000003
で表される。
【数２】
2020536280.tif 000004
のｋ空間分布２６０は、原点を通過し、反射軸２２５の角度と等しい、ｚ軸に関して測定された角度を有する。記録用のｋ球２５５は、特定の書込み波長に対応するｋ球である。ｋ空間２５０は、可視スペクトルの赤色領域、緑色領域、及び青色領域に存在する光の波長に対応する様々なｋ球を含み得る。
【００６９】
ｋ空間形式は、ホログラフィック記録及び回折を解析するための方法である。ｋ空間では、伝搬する光波及びホログラムは、実空間におけるそれらの分布の３次元フーリエ変換によって表現される。例えば、無限遠にコリメートされた単色の参照ビームは、実空間及びｋ空間において式（１）で表すことができる。
【数３】
2020536280.tif 000005
【００７０】
式中、
【数４】
2020536280.tif 000006
は、すべての
【数５】
2020536280.tif 000007
３Ｄ空間ベクトル位置での光学スカラ場分布であり、その変換
【数６】
2020536280.tif 000008
は、すべての
【数７】
2020536280.tif 000009
３Ｄ空間周波数ベクトルでの光学スカラ場分布である。Ａｒは場のスカラ複素振幅であり、
【数８】
2020536280.tif 000010
は波動ベクトルであり、その長さは光波の空間周波数を示し、その方向は伝搬方向を示す。いくつかの実装形態では、すべてのビームが同一波長の光からなり、そのためすべての光波動ベクトルが同一の長さを有する必要があり、すなわち、
【数９】
2020536280.tif 000011
である。したがって、すべての光伝搬ベクトルが半径
【数１０】
2020536280.tif 000012
の球上にある必要があり、式中、ｎ０はホログラムの平均屈折率（「バルク屈折率」）であり、λは光の真空波長である。この構造物はｋ球として知られている。他の実装形態では、複数の波長の光が、異なるｋ球上にあって長さが異なる波動ベクトルの重なり合いへと分解され得る。
【００７１】
別の重要なｋ空間分布にはホログラム自体のｋ空間分布がある。体積ホログラムは通常、格子媒体の内部での屈折率の空間的変化からなる。屈折率の空間的変化は典型的に
【数１１】
2020536280.tif 000013
と表され、屈折率変調パターンと称することができ、そのｋ空間分布は典型的に、
【数１２】
2020536280.tif 000014
と表される。第１の記録ビームと第２の記録ビームの間の干渉によって作り出された屈折率変調パターンは典型的に、式（２）に示されるように、記録用干渉パターンの空間強度に比例する。
【数１３】
2020536280.tif 000015
【００７２】
式中、
【数１４】
2020536280.tif 000016
は第１の記録ビーム場の空間分布であり、
【数１５】
2020536280.tif 000017
は第２の記録ビーム場の空間分布である。単項演算子＊は複素共役を表す。式（２）の最終項
【数１６】
2020536280.tif 000018
は、入射する第２の記録ビームを回折された第１の記録ビームへマッピングする。したがって、結果として次式のようになり得る。
【数１７】
2020536280.tif 000019
【００７３】
式中、
【数１８】
2020536280.tif 000020
は３Ｄ相互相関演算子である。つまり、空間領域における１つの光場と別の光場の複素共役との積は、周波数領域における、それぞれのフーリエ変換の相互相関になる。
【００７４】
典型的には、ホログラム２３０は、実空間では実数値になる屈折率分布を構成する。ホログラム２３０の
【数１９】
2020536280.tif 000021
のｋ空間分布の位置はそれぞれ、相互相関演算式
【数２０】
2020536280.tif 000022
から数学的に決定されてもよく、又はベクトル差
【数２１】
2020536280.tif 000023
から幾何学的に決定されてもよく、式中、
【数２２】
2020536280.tif 000024
は、それぞれのホログラム
【数２３】
2020536280.tif 000025
のｋ空間分布から原点（個別に示されていない）への格子ベクトルである。慣例により、波動ベクトルは小文字「ｋ」で表現され、格子ベクトルは大文字「Ｋ」で表現されていることに留意されたい。
［０００８］
ホログラム２３０は、記録されると、回折ビームを生成するためにプローブビームによって照明されてよい。本開示の目的のために、回折ビームはプローブビームの反射と考えることができ、入射光ビーム（例えば画像保持光）と称され得る。プローブビーム及びその反射ビームは、反射軸２２５によって角度的に二分される（つまり、反射軸に関するプローブビームの入射角は、反射軸に関する反射ビームの反射角と同一の大きさを有する）。回折処理は、記録処理のものに類似の、ｋ空間における１組の数学的演算及び幾何学的演算によって表現され得る。弱い回折限界では、回折ビームの回折光分布は式（４）で与えられる。
【数２４】
2020536280.tif 000026
【００７５】
式中、
【数２５】
2020536280.tif 000027
はそれぞれ、回折ビーム及びプローブビームのｋ空間分布であり、「＊」は３Ｄ畳み込み演算子である。表記
【数２６】
2020536280.tif 000028
は、前の数式が
【数２７】
2020536280.tif 000029
である場合にのみ評価され、すなわち、結果がｋ球上にある場合にのみ評価されることを示す。畳み込み
【数２８】
2020536280.tif 000030
は偏光密度分布を表し、プローブビームによって誘起された格子媒体の不均質な電気双極子モーメントの巨視的総計
【数２９】
2020536280.tif 000031
に比例する。
【００７６】
典型的には、プローブビームと記録に使用される記録ビームのうちの１つとが類似しているとき、畳み込みの影響により、記録中に相互相関が反転され、回折ビームは、ホログラムを記録するのに使用される他の記録ビームと実質的に類似することになる。プローブビームと記録に使用される記録ビームとが異なるｋ空間分布を有するとき、ホログラムは、ホログラムを記録するのに使用されたビームとは実質的に異なる回折ビームを生成する可能性がある。記録ビームは、典型的には互いにコヒーレントであるが、プローブビーム（及び回折ビーム）はそれほど制約されないことにも留意されたい。多波長プローブビームは、それぞれが異なるｋ球半径の状況で、式（４）に従って、単一波長のビームの重なり合いとして解析され得る。
【００７７】
本明細書ではｋ空間におけるスキューミラーの特性を説明するときに典型的に用いる、プローブビームという用語は、本明細書では実空間におけるスキューミラー反射特性を説明するときに典型的に用いる、入射光という用語に類似する。同様に、本明細書ではｋ空間におけるスキューミラーの特性を説明するときに典型的に用いる、回折ビームという用語は、本明細書では実空間におけるスキューミラーの特性を説明するときに典型的に用いる、主反射光という用語に類似する。したがって、実空間におけるスキューミラーの反射特性を説明するとき、ホログラム（又は他の格子構造）によって入射光が主反射光として反射されると明示するのが典型的であるが、ホログラムによってプローブビームが回折されて回折ビームを生成すると明示するのも実質的に同じことである。同様に、ｋ空間におけるスキューミラーの反射特性を説明するとき、ホログラム（又は他の格子構造）によってプローブビームが回折されて回折ビームを生成すると明示するのが典型的であるが、本開示の実装形態のコンテキストでは、格子構造によって入射光が反射されて主反射光を生成すると明示するのも同一の意味を有する。
【００７８】
図３Ａは、スキューミラー射出瞳孔等化が組み込まれた光学システム３００−ａの図を示す。光学システム３００−ａは、図１のＨＭＤ  １００などの、ＨＭＤ、拡張現実（augmented reality、ＡＲ）、複合現実（mixed reality、ＭＲ）又は仮想現実（virtual reality、ＶＲ）の用途で利用され得るが、これらに限定されない。光学システム３００−ａは、大画面ディスプレイ及び光センサの用途などの種々の光結合用途でも利用され得るが、これらに限定されない。光学システム３００−ａは、スキューミラー３０５がアイボックス３１５などの特定の位置の方へ光を回折できるように選択的結合を採用し、それによって光度効率（例えば画像の明るさ）を改善し得る。これは、アイボックス３１５において射出瞳孔を生成する有利な効果を有し得る。射出瞳孔は、スキューミラー３０５から一定の距離にあり得る。射出瞳孔は、内部射出瞳孔に対して光学的効率を高め得る。表現された角度は、格子媒体の面法線に対する内角であり、格子媒体及び／又は基材界面における屈折、並びに基材−空気界面における屈折は、図解の目的で無視されている。光学システム３００−ａは、頭上の視点から見られており、ユーザの左眼又は右眼のいずれかを表すことができる。説明を容易にするために、光学システム３００−ａは、ユーザの左目の視点により説明される。
【００７９】
スキューミラー３０５と格子媒体３１０の両方は、導波路内に少なくとも部分的に配置され得る。格子媒体３１０は、基材３０７（例えば、ガラスカバーなどの保護層）によって少なくとも部分的又は全体的に囲まれ得る。スキューミラー３０５は、格子媒体３１０の内部に１つ以上の格子構造を含み得る。格子構造は、入射光を反射し、回折させ、及び／又は分割して、その後も続けて異なる方向に伝搬し得る、ビーム又は波にし得る光学デバイスである。格子をその回折角度応答によって特徴付けてもよい。正弦波格子の場合、回折角度応答は、次式で表現され得る。
【数３０】
2020536280.tif 000032
［０００９］
回折角度応答は、入射角Δθｉの小さな変化に応じた反射角Δθｒの変化を表現する。対照的に、真のミラーは、次式で表現される角度応答を有する。
【数３１】
2020536280.tif 000033
【００８０】
式（５）及び（６）の角度は、ｋｚ軸に関するｋ空間内にある。
【００８１】
回折角度応答によって実質的に特徴付けられるデバイスは、格子様反射挙動を呈すると言える一方、真のミラー角度応答によって実質的に特徴付けられるデバイスは、ミラー様反射挙動を呈すると言える。格子様反射挙動を呈するデバイスはまた、反射軸がデバイス表面に対して垂直でない限り、入射角とともに変化する反射軸を呈することになり、この場合、ｃｏｓθｒ＝ｃｏｓθｉとなる。したがって、面法線に制約されない反射軸を中心として光を反射する比較的単純なデバイスであって、角度の複数のブラッグ選択性にわたる入射角に対する反射角が、波長の複数のブラッグ選択性にわたる波長において一定である、デバイスに関する要件は、単一の正弦波格子によって満たされない場合がある。当業者に知られているように、光を反射するデバイス（例えば、正弦波格子）は、角度及び波長の両方のブラッグ選択性を呈し得る。
【００８２】
格子媒体３１０は、フォトポリマー、光屈折結晶、ニクロム酸化ゼラチン、光−熱−屈折性ガラス、分散ハロゲン化銀粒子含有膜、又は入射干渉パターンに反応して同パターンを記録する能力を有する他の材料で構成されていてもよい。格子構造は、限定するものではないが、体積位相ホログラムなどのホログラムで構成されていてもよい。複数のホログラムを格子媒体内部体積内に記録してもよく、こうして、複数のホログラムが格子媒体表面の下方に延びてもよい。したがって、これらのホログラムを体積ホログラムと称することがある。いくつかの実装形態では、複数のホログラムはそれぞれ、複数のホログラムの残りのうちの少なくとも１つ（しかしすべてではない）と少なくとも部分的に空間的に重なる。いくつかの例では、複数のホログラムはそれぞれ、他のすべてのホログラムと少なくとも部分的に空間的に重なっている。いくつかの実施形態では、複数のホログラムのうちのいくつかは、他のホログラムのうちのいくつかと空間的に重なっていなくてもよい。
【００８３】
例えば、空間的に重なるホログラムは、連続した格子媒体において、２つのホログラムが占有する空間又は共有する体積に関して重なる（例えば、空間的に重なる２つのホログラムは、格子媒体３１０内の同じ空間又は体積の少なくとも一部を共有するか又は一部内に共存する）。このように、第１のホログラムの様々な屈折率特性及び関連する縞模様の少なくとも一部は、格子媒体３１０内の第２のホログラムの種々の屈折率特性及び関連する縞模様の少なくとも一部と同じ空間又は体積を占有する（及び重なり合っているか又は入り交じっている）。ホログラムが空間的に重ならない例では、２つのホログラムは、隣接する格子媒体内ではどんな方法によっても交差も重なりもしない。例えば、第１のホログラムを、第２のホログラムから離間して配置された格子媒体３１０の体積部分に配置し得る。いくつかの実施形態では、スキューミラーは、格子媒体３１０内で空間的に重なるホログラム及び空間的に重ならないホログラムの両方を含んでもよい。
【００８４】
格子媒体３１０内の各格子構造を、スキューミラー３０５の反射軸を中心として光を反射するように構成されていてもよい。反射軸は、図２Ａに示した反射軸２２５の一例であってもよい。反射軸は、格子媒体の面法線からずれていてもよい。入射光及びその反射は反射軸によって二分されて、反射軸に対する入射光の内部入射角が反射軸に対する反射光の内部反射角と同じ大きさになっている。すなわち、入射光及びその反射が反射軸について左右対称性を示してもよい。いくつかの実装形態では、格子構造を、複数の入射角と格子媒体の面法線との間の反射角で光を反射するように構成されていてもよい。
【００８５】
格子媒体３１０内の各格子構造は、特定の複数の入射角における１つ以上の波長の光を反射するように構成されていてもよい（１つ以上の波長は、少なくとも１つの可視赤色光波長、１つの可視青色光波長、及び１つの可視緑色光波長を含み得る）。格子媒体３１０内の各格子構造は、異なる格子構造に対応する複数の入射角とは異なる複数の入射角の光を反射し得る。格子媒体３１０内の各格子構造は、複数の正弦波体積格子で構成されていてもよい。
【００８６】
光学システム３００−ａは、光源又は投光器３２０（例えば、発光ダイオードによって照光されるマイクロディスプレイ）を示す。光は、入力カプラ３４０を介してスキューミラー３０５に進入し得る。入力カプラ３４０は、プリズム又はプリズム様構造、格子構造、ミラー若しくは反射構造、縁部ファセット若しくは湾曲面、又は他の入力結合技術であり得る。入力カプラ３４０の屈折率は、入力カプラ３４０が結合される基材３０７と屈折率が整合し得る。しかし、いくつかの例では、入力カプラは、光（例えば、画像担持光）をスキューミラーに導くために使用されなくてもよい。光は、可視光の範囲（例えば、可視赤色光、可視青色光、及び可視緑色光）を含み得る。反射光線３２５をアイボックス３１５の方へ反射させる場合、入射光３３０は、格子媒体３１０の第３の（例えば、右側）領域３１６の方へ全内部反射によって伝搬しなければならない。しかし、入射光３３０は、格子媒体３１０の第３の領域３１６に到達するために、格子媒体３１０の第１の（例えば、左側）領域３１２及び第２の（例えば、中間）領域３１４を通過しなければならない。例えば、既存の格子構造を格子媒体３１０内で利用した場合、導波路に進入する一部の光が誤って導かれ（例えば、伝搬光としてアウトカップルされ）、アイボックス３１５に到達しない無駄な光３３５を生じさせる可能性がある。しかし、光学システム３００−ａでは、反射光線３２５の光（例えば、反射光線３２５の可視光の各波長の光）とブラッグ整合する少なくともいくつかのホログラムが、スキューミラー３０５の第１の領域３１２及び第２の領域３１４に書き込まれず、選択的な結合によって（例えば、反射光線３２５の光をアイボックス３１５以外のエリアの方へ反射することになるホログラムを格子媒体３１０内に書き込まないことによって）第１の領域３１２へと減少せずに光を伝搬させることを可能にする。しかし、いくつかの例では、例えば、青色光をアイボックスの方へ上向きに導くように意図された第１の領域内の格子も、アイボックスから外れた右の方へ緑色を導く場合には、選択的結合を用いるスキューミラーによっても、いくらかの無駄な光が生じる場合がある。光学システム３００−ａの実施形態は、スキューミラー３０５が光をアイボックス３１５の方へ反射するように構成されているため、光を反射する等化でない場合を改善する。
【００８７】
一部の場合には、体積ホログラフィック格子は、互いに異なる角度及び波長の組み合わせにブラッグ整合するホログラフィック構造を含み得る。つまり、格子媒体内で、互いに異なるホログラフィック格子構造に基づいて、互いに異なる波長の光が同じ反射軸に沿って反射される。反射光線３２５としての反射光線に対応して格子媒体３１０の領域に関して同様に位置するホログラムは、反射光線がアイボックス３１５に入射するが、他のエリア（例えば、ｘ軸に沿ってアイボックス３１５に長手方向で近接するエリア）に入射しないように、同様に省略されてもよく、又は含まれてもよい。
【００８８】
したがって、本開示の例によれば、入射光３３０は、格子媒体３１０の第３の領域３１６に少なくとも部分的に配置され、入射光３３０を反射光線３２５としてアイボックス３１５に向けて反射することになる、ホログラムによって選択的に反射され得る。つまり、入射光３３０は、入射光３３０に対応する入射角を有する光線に関して、第３の領域３１６で選択的に反射され得る。同様に、入射光３３２は、格子媒体３１０の第２の領域３１４に少なくとも部分的に配置され、入射光３３２を反射光線３２７としてアイボックス３１５の方へ反射することになる、ホログラムによって選択的に反射され得る。つまり、入射光３３２は、入射光３３２に対応する入射角を有する光線に関して、第２の領域３１４で選択的に反射され得る。いくつかの例では、入射光３３４は、格子媒体３１０の第１の領域３１２に少なくとも部分的に配置され、入射光３３４を反射光線３２９としてアイボックス３１５の方へ反射することになる、ホログラムによって選択的に反射され得る。つまり、入射光３３４は、入射光３３４に対応する入射角を有する光に関して、第１の領域３１２で選択的に反射され得る。
【００８９】
光学システム３００−ａは、格子媒体３１０のほぼ中心にある平面で光を反射するように示されている。しかし、当業者は、光が典型的に、特定の平面ではなく格子構造の全体にわたって反射されることを認識する。加えて、アイボックス３１５に導かれることが意図されている各反射光線に関して、格子媒体３１０の１つ以上の格子構造内の１つ以上のホログラムを、種々の波長の可視赤色光、種々の波長の可視青色光、及び種々の波長の可視緑色光に関して書き込んでもよい。
【００９０】
光学システム３００−ａの態様によれば、スキューミラー３０５による射出瞳孔等化及びその変形は、所望のレベルの性能を達成するために必要とされる格子媒体のダイナミックレンジを低減させ得るか、又は得られる回折効率を高め得る。スキューミラー３０５から反射された光は、アイボックス３１５（又は種々の実施態様によれば別の特定の位置）でのみ所望され得る。線分様ｋ空間屈折率分布の空間的分布は、アイボックス３１５の方のみへの反射又はほとんどアイボックスの方への反射を生じさせるように低減されてもよい。いくつかの例では、単一の記録露光中にホログラムを書き込むための、格子媒体３１０上の照射プロファイルは、以下のように実質的に説明され得る。
【数３２】
2020536280.tif 000034
【００９１】
式中、ｄＥＢは、アイボックス３１５のサイズであり、ｄＥＲは、アイボックス３１５から格子媒体３１０内のホログラム及び格子構造までの距離であり、θＳは、反射ビームがｚ軸となす角度である。したがって、いくつかの例では、格子媒体３１０内への格子構造の形成は、アイボックス３１５のサイズ（例えば、長さ又は幅）に少なくとも部分的に基づき得る。いくつかの例では、格子媒体３１０内への格子構造の形成は、アイボックス３１５から格子構造までの距離に少なくとも部分的に基づき得る。
【００９２】
図３Ｂは、本開示の態様によるスキューミラー瞳孔等化に対応するプロットである。プロット３００−ｂは、軸３４５にホログラムの数を有し、軸３５０にＨＯＥの位置（すなわち、瞳孔距離）を有する。プロット３００−ｂのプロット線３４８は、３０°の視野を有する厚さ２００μｍのスキューミラーカプラに関する最大ホログラム多重化密度の低減の例を示す。プロット３００−ｂのプロット線３４８はまた、ＨＯＥに沿った各長手方向位置で必要とされ得る、重なり合うホログラムの総数を示す。本明細書に記載されるように、最大ホログラム多重化密度の領域に記録される必要があり得る、（例えば、四半値全幅（full width at quarter maximum、ＦＷＱＭ）規則に従う）等価数のホログラムが、著しい度合で低減され得る。
【００９３】
連続するホログラムは、隣接又は近接するホログラムから離間され得るか、又はずらされ得る。プロット３００−ｂのプロット線３４８は、連続するホログラムのこの離間された又はずらされた分布の結果を示す。格子は、ｙ軸に沿って媒体全体（−１３ｍｍ〜＋１３ｍｍ）にわたって広がり、ｘ軸に沿って離間され（例えば、互い違いにされ）、それぞれ隣接格子からある距離でずらされる。距離は、１つ以上の領域にわたって一定（例えば、０．１０ｍｍ）及び／又は可変であり得る。プロット線３４８から観察できるように、格子媒体３１０に沿った各長手方向位置において必要とされる重なり合うホログラムの総数は、格子媒体３１０の中心から（例えば、下方に）８ｍｍ離れるとほぼ８３％低減され、格子媒体３１０の中心から（例えば、下方に）４ｍｍ離れるとほぼ２５％低減され得る（例えば、格子媒体３１０の第１の領域３１２における重なり合うホログラムの総数の低減）。同様に、格子媒体３１０に沿った各長手方向位置において必要とされる重なり合うホログラムの総数は、格子媒体３１０の中心から（例えば、上方に）８ｍｍ離れるとほぼ７５％低減され、格子媒体３１０の中心から（例えば、上方に）６ｍｍ離れるとほぼ１７％低減され得る（例えば、格子媒体３１０の第３の領域３１６における重なり合うホログラムの総数の低減）。この非限定的な例では、スキューミラー３０５は、ｄＥＲ＝２５ｍｍの距離でｄＥＢ＝４ｍｍのアイボックスを生成するように等化され得、射出瞳孔孔等化を伴わなければ、そのようなスキューミラーデバイスは、スキューミラーデバイスの１７．５ｍｍの長さに沿って３２５のホログラムの多重化を必要とするであろう。本明細書に記載される射出瞳孔等化技術を使用すると、最大ホログラム多重化密度は、１３９のホログラムに減少され得る。この低減は、等化でない密度の４２．８％のみを表しており、同じ記録材料の格子媒体３１０を前提とすると、場合によっては、回折効率の５．４７ｘの改善をもたらす。
【００９４】
加えて、種々の実施形態では、格子媒体３１０の３つよりも多くの領域が用いられ得ることを理解されたい。いくつかの例では、各ホログラム（又は、類似のホログラムのセットを有する格子構造）に別個の領域が用いられ得る。いくつかの例では、本明細書に記載される射出瞳孔等化技術は、複数の色帯域に適用され、例えば、赤色波長（例えば、６１０〜７８０ｎｍ）帯域、緑色波長（例えば、４９３〜５７７ｎｍ）帯域、及び青色波長（例えば、４０５〜４９２ｎｍ）帯域に対応する、３つの別個のスキューミラー格子周波数帯域を生じ得る。スキューミラー等化は、所望であれば、（例えば、クロスカプラ、出力カプラ、ダクト型導波路、スラブ型導波路などを使用して）２次元で実施されてもよい。
【００９５】
図４Ａは、本開示の種々の態様による、スキューミラー瞳孔等化に対応する光学構造４００−ａの斜視図である。光学構造４００−ａは、図１のＨＭＤ１００のスキューミラー１１０、図２Ａのスキューミラー２１０、及び／又は図３のスキューミラー３０５の態様を含み得る。光学構造４００−ａは、格子媒体４０５、第１の格子構造４１０、及び第２の格子構造４１５を含み得る。
【００９６】
光学構造４００−ａは、すべて又はほとんどの反射光が導かれる外部射出瞳孔（図示せず）を形成するために選択的結合を用い得る。システムの回折効率及び光度効率は、スキューミラー射出瞳孔等化技術を含む光学構造４００−ａを組み込むことによって高められ得る。光学構造４００−ａは、格子媒体４０５内の１つ以上のホログラムを使用した格子構造が目に見えない（又はほぼ見えない）ように、実質的に透明であり得る。ヘッドマウントディスプレイなどの用途では、スキューミラーから、外部射出瞳孔と概ね整列し得るアイボックス（図示せず）などの特定の場所の方へ、光を回折させ得る。
【００９７】
第１の格子構造４１０及び第２の格子構造４１５はそれぞれ、複数の入射角における特定の波長の光を、格子媒体の面法線からずれた反射軸を中心として反射するように構成されていてもよい。いくつかの例では、第１及び第２の格子構造のそれぞれは、格子構造を形成する複数のホログラムを含んでもよい。理解を容易にするために、第１の格子構造４１０及び第２の格子構造４１５のそれぞれは、単一のホログラムとして一般に考察される。しかし、光学構造４００−ａの実施形態は、そのような単一のホログラム格子構造に限定されない。
【００９８】
格子媒体４０５内の第１の格子構造４１０は、第１の複数の入射角におけるある波長の光を、格子媒体の面法線４０７からずれた第１の反射軸を中心として反射するように構成されていてもよい。格子媒体４０５内の第２の格子構造４１５は、第２の格子構造４１５が第１の格子構造４１０に少なくとも部分的に重ならないように配置され得る。第２の格子構造４１５は、第１の入射角とは異なる第２の入射角における波長の光を、格子媒体４０５の面法線４０７からずれた第２の反射軸を中心として反射するように構成されていてもよい。第１の格子構造４１０及び第２の格子構造４１５はそれぞれ、ホログラム又は正弦波体積格子を備え得る。いくつかの実施形態では、ホログラム又は非ホログラフィ正弦波体積格子のいずれかが、光学構造４００−ａの格子媒体４０５に使用される。他の実施形態では、ホログラムと非ホログラフィ正弦波体積格子の両方が、同じ格子媒体４０５に使用されてもよい。
【００９９】
第１の格子構造４１０は、第１の格子構造４１０及び第２の格子構造４１５の光学特性（例えば、様々な屈折率特性及び関連する縞模様）が重ね合わされるか又は入り交じるように、第２の格子構造４１５と部分的に空間的に重なり得る。いくつかの例では、第１の反射軸は、第２の反射軸と実質的に平行である。いくつかの例では、第１の入射角と第２の入射角は、少なくとも５°だけ異なる。
【０１００】
一例では、第１の格子構造４１０は、入射角の第１の範囲における波長の光を、格子媒体４０５の面法線４０７からずれた第１の反射軸を中心として反射するように更に構成されている。この入射角の第１の範囲は、上述の第１の入射角を含むことができる。入射角の第１の範囲の各入射角は、第２の入射角より大きくてもよい。加えて、入射角の第１の範囲の入射角は、それぞれのホログラムに対応してもよい（例えば、第１の格子構造４１０は、この例では複数のホログラムを含む）。第１の格子構造４１０は、（例えば、同じ波長の光を反射するための）少なくとも３つのホログラムを含み得る。少なくとも３つのホログラムのそれぞれは、入射角の第１の範囲内の固有の入射角に対応し得る。少なくとも３つのホログラムの近接する｜ΔＫＧ｜は、１．０×１０４と１．０×１０６ラジアン／メートル（ｒａｄ／ｍ）の間にある平均値を有し得る。格子構造内の近接するホログラムの｜ΔＫＧ｜関係を示すために、この例では少なくとも３つの角度が説明されており、多くの固有の入射角に対応する多くのホログラムが、第１の格子構造４１０及び格子媒体４０５内の他の格子構造に含まれ得ることを理解されたい。
【０１０１】
第１の格子構造４１０及び第２の格子構造４１５は、ある波長（例えば、可視赤色光波長、可視青色光波長、又は可視緑色光波長）の光を反射するものとして説明されており、したがって、光学デバイス４００−ａは、単色の意味で説明され得るが、光学デバイス４００−ａの例は概して、複数の波長の光を反射するように構成された格子構造を含む。例えば、第１の格子構造４１０は、第１の入射角における複数の波長の光を反射するように更に構成されてもよく、第２の格子構造４１５は、第２の入射角における複数の波長の光を反射するように更に構成されてもよい。いくつかの実施形態では、複数の波長は、可視赤色光波長（例えば、６１８ｎｍ）、可視青色光波長（例えば、４６０ｎｍ）、及び可視緑色光波長（例えば、５１８ｎｍ）を含む。他の実施形態では、複数の波長は、可視赤色光波長範囲からの２つ以上の可視赤色光波長、可視青色光波長範囲からの２つ以上の可視青色光波長、及び可視緑色光波長範囲からの２つ以上の可視緑色光波長を含む。
【０１０２】
光学構造４００−ａが導波路の用途に含まれる場合、各格子構造は、光学構造４００−ａから一定の距離に位置する射出瞳孔の方へ光の一部分を反射するように構成されていてもよい。例えば、導波路は、導波路の光入力領域から第１の格子構造４１０及び第２の格子構造４１５に光を伝達するように構成されていてもよい。格子媒体４０５は、少なくとも部分的に導波路内に配置されてもよく、対向する基材によって覆われてもよく、又は包囲されてもよい。
【０１０３】
図４Ｂは、本開示の種々の態様による、スキューミラー瞳孔等化に対応する光学構造４００−ｂの平面図である。光学構造４００−ｂは、図１のＨＭＤ１００のスキューミラー１１０、図２Ａのスキューミラー２１０、図３のスキューミラー３０５、及び／又は図４Ａの光学構造４００−ａの態様を含み得る。光学構造４００−ｂは、格子媒体４０５−ａ、第１の格子構造４１０−ａ、第２の格子構造４１５−ａ、及び第３の格子構造４２０を含み得る。
【０１０４】
第３の格子構造４２０は、他の格子構造とともに格子媒体４０５−ａ内に配置され得る。一部の場合には、第３の格子構造４２０は、第１の格子構造４１０−ａと第２の格子構造４１５−ａとの間に配置され得る。第３の格子構造４２０は、第１の格子構造４１０−ａに少なくとも部分的に重ならなくてもよく、第２の格子構造４１５−ａに少なくとも部分的に重ならなくてもよい。第３の格子構造は、第１の入射角及び第２の入射角とは異なる第３の入射角における波長（例えば、第１の格子構造４１０−ａ及び第２の格子構造４１５−ａによって反射される光と同じ波長）の光を、格子媒体４０５の面法線４０７からずれた第３の反射軸を中心として反射するように構成されていてもよい。いくつかの例では、第３の反射軸は、第１の反射軸及び第２の反射軸と実質的に平行である。いくつかの実施形態では、第１の入射角は第３の入射角より大きくてもよく、第３の入射角は第２の入射角より大きくてもよい。このようにして、これらの入射角のそれぞれは、無視できない量で異なってもよく、光学構造４００−ｂの１つ以上の領域に関連する反射機能を実施してもよい。
【０１０５】
いくつかの例では、第１の格子構造４１０−ａ及び第２の格子構造４１５−ａはそれぞれ、（図４Ｂには示していないが、本明細書に記載される他の図及び例に示している）射出瞳孔の方へ光の一部分を反射するように構成されている。射出瞳孔は、第１の格子構造４１０−ａに重なる第２の格子構造４１５−ａの第１の端部４１７に重ならない第１の格子構造４１０−ａの第１の端部４１２が、第２の格子構造４１５−ａの第１の端部４１７よりも射出瞳孔から離れるように、導波路（例えば、格子媒体４０５を含む導波路）の表面から一定の距離にあってもよい。このようにして、射出瞳孔は、ｘ軸に沿って（格子媒体４０５−ａに関して）長手方向で概ね中心を合わせられてもよい。
【０１０６】
図４Ｃは、本開示の種々の態様による、スキューミラー瞳孔等化に対応する光学構造４００−ｃの平面図である。光学構造４００−ｃは、図１のＨＭＤ１００のスキューミラー１１０、図２Ａのスキューミラー２１０、図３のスキューミラー３０５、図４Ａの光学構造４００−ａ、及び／又は図４Ｂの光学構造４００−ｂの態様を含み得る。光学構造４００−ｃは、格子媒体４０５−ｂ、第１の格子構造４１０−ｂ、第２の格子構造４１５−ｂ、及び第４の格子構造４３０を含み得る。
【０１０７】
第４の格子構造４３０は、他の格子構造とともに格子媒体４０５−ｂ内に配置され得る。一部の場合には、第４の格子構造４３０は、第１の格子構造４１０−ｂに重ならない。これは、長さが互いに概ね均一であり得る格子構造の長さが、格子媒体４０５−ｂの全長の少なくとも半分だけ短くなるように、複数の格子構造が格子媒体４０５−ｂにわたって広がるときに生じる。一部の場合には、第４の格子構造４３０はまた、第２の格子構造４１５−ｂなどの別の格子構造に少なくとも部分的に重なる。第４の格子構造４３０は、第１の入射角及び第２の入射角とは異なる第４の入射角における波長の光を、格子媒体４０５−ｂの面法線４０７からずれた第４の反射軸を中心として反射するように構成されていてもよい。いくつかの例では、第４の反射軸は、第１の反射軸及び第２の反射軸と実質的に平行である。いくつかの実施形態では、第１の入射角は第２の入射角より大きくてもよく、第２の入射角は第４の入射角より大きくてもよい。
【０１０８】
図４Ｂの第３の格子構造４２０及び図４Ｃの第４の格子構造４３０に使用される第３及び第４の表記は、任意の表記であり、第１及び第２の格子構造に対する別の又は追加の格子構造格子構造として単にみなせることを理解されたい。第３の格子構造４２０及び第４の格子構造４３０は、スキューミラー瞳孔等化に関連する格子構造の部分的に重なる特徴及び重ならない特徴の非限定的な例を示す。
【０１０９】
図５は、光学部品５００の図であり、複数の格子構造５０５を示す。格子構造５０５は、図３及び図４を参照して説明した格子構造と同様であり得る。格子構造５０５は、議論のために分解組立図の様式で示されるが、これらの格子構造５０５は、本明細書（例えば、図４Ａ〜図４Ｃ）に記載されたように、格子媒体の体積又は空間の内部で重なり合い、入り交じり得る。また、各格子構造が異なる回折角の応答を有してよく、別の格子構造とは異なる波長の光を反射してよい。
【０１１０】
光学部品５００は、格子構造５０５−ａ及び格子構造５０５−ｂを表す。格子構造５０５−ａは対応するｋ空間のグラフ５１０−ａを有し得、格子構造５０５−ｂは対応するｋ空間のグラフ５１０−ｂを有し得る。ｋ空間のグラフ５１０−ａ及び５１０−ｂは、ホログラムを照光することによるブラッグ整合の再構成の場合を示し得る。
【０１１１】
ｋ空間のグラフ５１０−ａは、格子構造５０５−ａによる入射光の反射を示し得る。ｋ空間のグラフ５１０−ａは、ホログラムによるプローブビームのミラー様の回折（反射と称され得る）の表現であり、反射軸に関するプローブビームの入射角は、反射軸に関する回折ビームの反射角と等しい。ｋ空間のグラフ５１０−ａは、ｚ軸に関して測定された角度が格子構造５０５−ａの反射軸５３０−ａの角度と等しい、正の側波帯の
【数３３】
2020536280.tif 000035
ｋ空間分布５５０−ａを有する。ｋ空間のグラフ５１０−ａは、ｚ軸に関して測定された角度が反射軸５３０−ａの角度と等しい、負の側波帯の
【数３４】
2020536280.tif 000036
ｋ空間分布５５３−ａも有する。ｋ球５４０−ａは、可視青色光、可視緑色光、又は可視赤色光を表現し得る。
【０１１２】
ｋ空間のグラフ５１０−ａは、プローブビーム５３５−ａが、プローブビームのｋ球５４０−ａ上にある点状の、回折ビームのｋ空間分布５２５−ａ、
【数３５】
2020536280.tif 000037
を生成する場合を表す。回折ビームのｋ空間分布５２５−ａは、式（４）の畳み込みによって生成される。
【０１１３】
プローブビーム５３５−ａは、やはり点状であるｋ空間分布
【数３６】
2020536280.tif 000038
を有する。この場合、プローブビームは、ホログラムに対して「ブラッグマッチする」と言われ、プローブビームの波長が、ホログラムを記録するのに使用される記録ビームの波長と異なっていても、ホログラムが有意の回折を生成する可能性がある。また畳み込み演算は、ベクトル和
【数３７】
2020536280.tif 000039
によって幾何学的に表され得る。式中、
【数３８】
2020536280.tif 000040
は回折ビームの波動ベクトル５２０−ａを表し、
【数３９】
2020536280.tif 000041
はプローブビームの波動ベクトル５１５−ａを表し、
【数４０】
2020536280.tif 000042
は、正の側波帯の格子ベクトル５５１−ａを表す。ベクトル５４５−ａは、式（４）の畳み込みによるプローブビームの波動ベクトル５１５−ａと正の側波帯の格子ベクトル５５１−ａとの和を表す。ｋ空間のグラフ５１０−ａは、負の側波帯の格子ベクトル５５２−ａも有する。
【０１１４】
プローブビームの波動ベクトル５１５−ａ及び回折ビームの波動ベクトル５２０−ａは、実質的な二等辺三角形の辺を必ず形成する。この三角形の等しい角度は、どちらも反射軸５３０−ａに関して測定された入射角及び反射角と必ず一致する。したがって、格子構造５０５−ａは、反射軸５３０−ａを中心として、実質的にミラー様の様式で光を反射する。
【０１１５】
ｋ空間のグラフ５１０−ｂは、格子構造５０５−ｂによる入射光の反射を示し得る。格子構造５０５−ｂは、格子構造５０５−ａによって反射される入射角とは異なる複数の入射角の入射光を反射し得る。格子構造５０５−ｂは、格子構造５０５−ａとは異なる波長の光も反射し得る。ｋ空間のグラフ５１０−ｂは、ホログラムによるプローブビームのミラー様の回折（反射と称され得る）の表現であり、反射軸に関するプローブビームの入射角は、反射軸に関する回折ビームの反射角と等しい。ｋ空間のグラフ５１０−ｂは、ｚ軸に関して測定された角度が格子構造５０５−ｂの反射軸５３０−ｂの角度と等しい、正の側波帯の
【数４１】
2020536280.tif 000043
ｋ空間分布５５０−ｂを有する。ｋ空間のグラフ５１０−ｂは、ｚ軸に関して測定された角度が反射軸５３０−ｂの角度と等しい、負の側波帯の
【数４２】
2020536280.tif 000044
ｋ空間分布５５３−ｂも有する。ｋ球５４０−ｂは、可視青色光、可視緑色光、又は可視赤色光を表現し得る。一部の実施形態では、ｋ球は、紫外波長又は赤外波長を含む電磁放射の他の波長を表現し得るが、これらに限定されない。
【０１１６】
ｋ空間のグラフ５１０−ｂは、プローブビーム５３５−ｂが、プローブビームのｋ球５４０−ｂ上にある点状の、回折ビームのｋ空間分布５２５−ｂ、
【数４３】
2020536280.tif 000045
を生成する場合を表す。回折ビームのｋ空間分布５２５−ｂは、式（４）の畳み込みによって生成される。
【０１１７】
プローブビーム５３５−ｂは、やはり点状であるｋ空間分布
【数４４】
2020536280.tif 000046
を有する。この場合、プローブビームは、ホログラムに対して「ブラッグマッチする」と言われ、プローブビームの波長が、ホログラムを記録するのに使用される記録ビームの波長と異なっていても、ホログラムが有意の回折を生成する可能性がある。また畳み込み演算は、ベクトル和
【数４５】
2020536280.tif 000047
によって幾何学的に表され得る。式中、
【数４６】
2020536280.tif 000048
は回折ビームの波動ベクトル５２０−ｂを表し、
【数４７】
2020536280.tif 000049
はプローブビームの波動ベクトル５１５−ｂを表し、
【数４８】
2020536280.tif 000050
は、正の側波帯の格子ベクトル５５１−ｂを表す。ベクトル５４５−ｂは、式（４）の畳み込みによるプローブビームの波動ベクトル５１５−ｂと正の側波帯の格子ベクトル５５１−ｂとの和を表す。ｋ空間のグラフ５１０−ｂは、負の側波帯の格子ベクトル５５２−ｂも有する。
【０１１８】
プローブビームの波動ベクトル５１５−ｂ及び回折ビームの波動ベクトル５２０−ｂは、実質的な二等辺三角形の辺を必ず形成する。この三角形の等しい角度は、どちらも反射軸５３０−ｂに関して測定された入射角及び反射角と必ず一致する。したがって、格子構造５０５−ｂは、反射軸５３０−ｂを中心として、実質的にミラー様の様式で光を反射する。
【０１１９】
図６は、本開示の種々の態様による、櫛状シフト機能を有するスキューミラーを製造するためのシステム６００−ａである。システム６００−ａは、サンプルステージ搬送台６０５、サンプル搬送レール６１０、第１の記録ビーム６１５−ａ、信号ミラー６２０、第２の記録ビーム６２５−ａ、参照ミラー６３０、参照ミラー搬送レール６３５、参照ミラー搬送台６４０、格子媒体６４５−ａ、ホログラム６５０、第１のプリズム６５５−ａ、及び第２のプリズム６６０−ａを含み得る。
【０１２０】
システム６００−ａは、グローバル座標（ｘＧ，ｙＧ，ｚＧ）及びスキューミラー座標（ｘ，ｙ，ｚ）を含み得る。原点は格子媒体６４５−ａの中心に定義され得る。一部の場合には、格子媒体６４５−ａは、一般に矩形形状を備え得、「ｚ」は格子媒体６４５−ａの厚さに対応し、「ｘ」は格子媒体６４５−ａの面内側の長さに対応し、「ｙ」は格子媒体６４５−ａの面内側の長さに対応する。記録のためのグローバル角度θＧは、格子媒体６４５−ａの内部のｘＧ軸に関する第１の記録ビーム６１５−ａの角度として定義され得る。スキューミラー座標（ｘ，ｙ，ｚ）は、次式によってグローバル座標に変換され得る。
【数４９】
2020536280.tif 000051
【０１２１】
システム６００−ａは、所望のアイボックスサイズにほぼ等しいサイズを有するように記録ビームを構成するのに使用され得る。一実装形態では、システム６００−ａは、第１の記録ビーム６１５−ａ及び第２の記録ビーム６２５−ａの正確な角度を作り出すために、信号ミラー６２０及び参照ミラー６３０などの回転ミラーを配置し得る。信号ミラー６２０の角度は、幅〜ｄＥＢを伴う第１の記録ビーム６１５−ａの所望の角度（θＧ１）を生成するように変化し得る。サンプルステージ搬送台６０５及び参照ミラー搬送台６４０は、各露光に関して記録ビームで正確な位置を照光するように位置決めされ得る。システム６００−ａのサンプルステージ搬送台６０５は、所望の位置において格子媒体６４５−ａを第１の記録ビーム６１５−ａで照光するのを容易にするために、サンプル搬送レール６１０上に位置決めされ得る。参照ミラー搬送台６４０は、所望の位置において格子媒体６４５−ａを第２の記録ビーム６２５−ａで照光するのを容易にするために、参照ミラー搬送レール６３５上に位置決めされ得る。格子媒体６４５−ａは、ホログラム記録前又はホログラム記録中に記録媒体と称される場合があり、フォトポリマーを含み得る。いくつかの実施形態では、格子媒体は、光屈折結晶、ニクロム酸化ゼラチン、光−熱−屈折性ガラス、及び／又は分散ハロゲン化銀粒子含有膜を備え得る。
【０１２２】
信号ミラー６２０と参照ミラー６３０の組を回転させることにより、これらのミラーは、記録ビームが互いに交差し、干渉し合って、格子媒体６４５−ａ内のホログラム６５０として記録される干渉パターンを形成するように、第１の記録ビーム６１５−ａと第２の記録ビーム６２５−ａを導くように配置される。ホログラム６５０は、格子構造の一例である。システム６００により、複数の入射角における特定の波長の光をスキュー軸６６５−ａを中心として反射するようにそれぞれ構成された複数の格子構造が形成され得る。それぞれの格子構造は、特定の波長を有するコヒーレント光への、格子媒体６４５−ａの複数の露光によって形成され得る。各格子構造に対応する複数の入射角は、互いから最小範囲の角度だけずれていてもよい。
【０１２３】
いくつかの実装形態では、記録ビームの幅は互いに異なってよく、又は同一でもよい。記録ビームの強度は互いに同一でよく、又はビーム間で異なり得る。ビームの強度は不均一でよい。格子媒体６４５−ａは典型的に、プリズムと格子媒体の両方に屈折率が整合した流体を使用して、第１のプリズム６５５−ａと第２のプリズム６６０−ａの間の適所に固定される。スキュー軸６６５−ａは、面法線６７０−ａに対するスキュー角を有する。図６Ａに示されるように、スキュー角は面法線６７０−ａに対して−３０．２５度であってもよい。第１の記録ビームと第２の記録ビームの間の角度は０〜１８０度の範囲内にあってもよい。面内システム６００−ａの場合、面法線６７０−ａに対して記録されるスキュー角は、φ'＝（θＲ１＋θＲ２−１８０°）／２＋φＧである。θＧ２＝１８０°−θＧ１となる規準ケースでは、φ'＝φＧである。図６Ａにおいて、φＧは、面法線に対する規準スキュー角を示す。加えて、図６Ａには、θＧ１及びθＧ２の角度が正確に描写されていない。θ'Ｇ１及びθ'Ｇ２の角度が図解されており、θＧ１及びθＧ２の角度に対応する。θＧ１及びθＧ２の角度は、第１のプリズム６５５−ａ内の第１の記録ビーム６１５−ａ、及び第２のプリズム６６０−ａ内の第２の記録ビーム６２５−ａビームに、それぞれ関連する。θ'Ｇ１及びθ'Ｇ２の角度は、θＧ１及びθＧ２の角度とは異なる。なぜならば、記録ビームがプリズムに入るときに空気とプリズムとの間の境界で屈折率のミスマッチがあるからである（例えば、スネルの法則又は屈折の法則の効果）。
【０１２４】
スキュー軸に対する第１の記録ビームの内角とスキュー軸に対する第２の記録ビームの内角との合計が１８０度に等しくなるように、第１の記録ビーム６１５−ａと第２の記録ビーム６２５−ａは、スキュー軸６６５−ａを中心として名目上対称である。第１の記録ビーム及び第２の記録ビームは、それぞれ典型的に、レーザ光源に由来するコリメートされた平面波ビームである。
【０１２５】
例えば第１の記録ビーム６１５−ａが第１のプリズム６５５−ａの空気／プリズム境界と交差するところ、及び第２の記録ビーム６２５−ａが第２のプリズム６６０−ａの空気／プリズム境界と交差するところといった、空気／プリズム境界における屈折は、厳密に定量的にではなく、比喩的に示されている。プリズム／格子媒体境界でも屈折が起こり得る。実装形態では、格子媒体及びプリズムのそれぞれが、４０５ｎｍの記録ビーム波長においてほぼ１．５４７１の屈折率を有する。
【０１２６】
ホログラムのスキュー角（ホログラムの集合に関する平均スキュー角を含む）は、反射軸角度と実質的に同一であり得、これは、スキュー角又は平均スキュー角が反射軸角度から１．０度以内にあることを意味する。当業者ならば、本開示の利益を与えられれば、スキュー角と反射軸角度が理論上同一であり得ることを認識するであろう。しかしながら、システムの精密さ及び正確さにおける限界、ホログラムの記録中に生じる記録媒体の縮化、及び誤りの他の原因のために、記録ビーム角度に基づいて測定された、又は推定された、スキュー角又は平均スキュー角は、スキューミラーによって反射された光の入射角及び反射角によって測定された反射軸角度と完全には一致しない可能性がある。それにもかかわらず、記録ビーム角度に基づいて判定されたスキュー角は、媒体縮化及びシステム不完全性がスキュー角及び反射軸角度の推定における誤りに寄与する場合でさえ、入射光の角度及びその反射の角度に基づいて判定された反射軸角度から１．０度以内にあり得る。これらの媒体縮化及びシステム不完全性は、瞳孔等化を伴うスキューミラーの生産では、任意に小さくできることが理解される。この点に関して、これらの媒体縮化及びシステム不完全性は、通常の、又は既存のミラーの平面度に類似するものと考えられてよい。いくつかの例では、体積ホログラムを使用するスキューミラーの生産に関連付けられた基本的な限界は、記録媒体の厚さに基づき得る。
【０１２７】
スキュー軸／反射軸は、スキューミラーの作製に言及するとき（例えばスキューミラー格子媒体にホログラムを記録することを説明するとき）には一般にスキュー軸と称され、スキューミラーの光反射特性に言及するときには反射軸と称される。ホログラムのスキュー角（ホログラムの集合に関する平均スキュー角を含む）は、反射軸角度と実質的に同一であり得、これは、スキュー角又は平均スキュー角が反射軸角度から１．０度以内にあることを意味する。本開示の利益を与えられた、当該技術分野に精通している者なら、スキュー角と反射軸角度が理論上同一であり得ることを認識するであろう。しかしながら、システムの精密さ及び正確さにおける限界、ホログラムの記録中に生じる記録媒体の縮化、及び誤りの他の原因のために、記録ビーム角度に基づいて測定された、又は推定された、スキュー角又は平均スキュー角は、スキューミラーによって反射された光の入射角及び反射角によって測定された反射軸角度と完全には一致しない可能性がある。それにもかかわらず、記録ビーム角度に基づいて判定されたスキュー角は、媒体縮化及びシステム不完全性がスキュー角及び反射軸角度の推定における誤りに寄与する場合でさえ、入射光の角度及びその反射の角度に基づいて判定された反射軸角度から１．０度以内にあり得る。本開示の利益を与えられた、当該技術分野に精通している者なら、所与のホログラムに関するスキュー角がそのホログラムに関する格子ベクトル角度と同一であることを認識するであろう。
【０１２８】
システム６００−ａの変形形態では、第１の記録ビーム及び第２の記録ビームの波長を変化させるために可変波長レーザが使用される。第１の記録ビームと第２の記録ビームの入射角は、（必須ではないが）一定に保たれてもよく、第１の記録ビーム及び第２の記録ビームの波長が変化される。波長は、可視赤色光波長、可視青色光波長、可視緑色光波長、紫外（ultraviolet、ＵＶ）波長、及び／又は赤外（infrared、ＩＲ）波長で構成されていてもよい。システム６００−ａの各格子構造は、別の格子構造とは異なる波長における入射角を反射し得る。システム６００−ａは、記録ビームの波長と実質的に異なる波長の光、特に、記録ビームの波長よりもかなり長い波長の光を反射できる反射特性を有し得る。
【０１２９】
本明細書に記載されるスキューミラー内の任意の２つのホログラム間の格子周波数の差の大きさは、周波数ギャップ｜ΔＫＧ｜と称されることがある。周波数ギャップ｜ΔＫＧ｜は、ホログラム「間隔」（例えば、任意の２つのホログラムの格子ベクトルが、ｋ空間において互いにどの程度近接しているか）を説明するための有用な尺度とすることができる。（例えば、ｋ空間において）所与のホログラムと近接するホログラムとの間の周波数ギャップ｜ΔＫＧ｜は、近接周波数ギャップ｜ΔＫＧ｜と称されることがある。
【０１３０】
複数のホログラムのセット（例えば、体積ホログラフィック格子のセット）の中で、セット内の各ホログラムは、ｋ空間において対応する格子ベクトルを有する。格子ベクトルは、対応する格子ベクトルの大きさＫＧを有する。セット内の第１のホログラムは、ホログラムのセット内の第２のホログラムの格子ベクトルＫＧが、（セット内のホログラムの中で）第１のホログラムの格子ベクトルの次に最も大きいか又は次に最も小さいときに、第２のホログラムに「近接する」と称されることがある。セット内の各ホログラムは、セット内の１つ又は２つの近接するホログラムから近接周波数ギャップ｜ΔＫＧ｜によって隔てられ得る。近接周波数ギャップ｜ΔＫＧ｜は、近接するホログラムについての格子ベクトルの大きさＫＧの差の大きさであり得る。例えば、セット内の第１のホログラムは、第１の格子ベクトルの大きさＫＧ１を有し得、セット内の第２のホログラムは、第２の格子ベクトルの大きさＫＧ２を有し得、第１の格子ベクトルの大きさＫＧ１は、ｋ空間において第２の格子ベクトルの大きさＫＧ２から近接周波数ギャップ｜ΔＫＧ｜によって隔てられ得る。
【０１３１】
セット内の各ホログラムは、対応する近接周波数ギャップ｜ΔＫＧ｜（例えば、近接周波数ギャップは、セットにわたって均一である必要はない）によって、セット内の１つ以上の他のホログラムから隔てられる。いくつかの実施形態では、ホログラムのセット全体の平均近接周波数ギャップ｜ΔＫＧ｜は、スキューミラーの性能に影響を及ぼし得る。所与のホログラムの格子ベクトルの大きさＫＧは、ホログラムの格子周波数（例えば、物理空間における格子媒体の屈折率変調の周波数、及びホログラムにブラッグ整合する光の波長）を決定し得る。したがって、格子ベクトルの大きさＫＧは、本明細書では格子周波数ＫＧと称されることがある。ホログラムのセット内の各ホログラムは、対応する格子周波数ＫＧを有する。格子周波数ＫＧに関連する格子ベクトルの方向は、物理空間における格子媒体の屈折率変調の方向（向き）、及びホログラムが光を回折させる角度を与え得る。格子周波数ＫＧ及び周波数ギャップ｜ΔＫＧ｜は、メートル当りラジアン（ｒａｄ／ｍ）及び／又はｓｉｎｃピーク−ｓｉｎｃヌルを含むが、これらに限定されない、種々の単位で表され得る。
【０１３２】
ホログラムのセットの比較的小さな平均近接周波数ギャップ｜ΔＫＧ｜は、（例えば、ホログラムのセット全体の）比較的高いスキューミラー画像忠実度に対応することができる。しかし、ホログラムのセットの平均近接周波数ギャップ｜ΔＫＧ｜が比較的小さい場合、セット内のホログラムの総数は、セットの所与の近接周波数ギャップ｜ΔＫＧ｜の範囲にわたるために、より多くなる。更に、格子媒体の記録容量が典型的にダイナミックレンジ（通常はΔｎとして表される）によって制限されることを前提とすれば、より多くのホログラムをセット内に記録することは通常、セット内の各ホログラムがより弱くなる（つまり、媒体内により微かに記録される）ことを意味する。したがって、ホログラムのセットに関して比較的小さな近接周波数ギャップ｜ΔＫＧ｜を有すること（他のものが等しいと、より多くのホログラムを必要とする）と、セットに関してより大きな近接周波数ギャップ｜ΔＫＧ｜を有し、より少ないがより強いホログラムの記録を可能にすること、との間に葛藤がある。
【０１３３】
より少なく、より強いホログラムは典型的に、スキューミラーの幾何学的形状及びスキュー軸に応じて、より強い反射率又はより強い出力結合をもたらす。光がスキューミラーと１つの相互作用のみを有する反射幾何学的形状では、最大反射率は、各ホログラムが１００％の回折効率を有するように、ホログラムの数が材料のＭ＃に等しいときに生じる。導波路の幾何学的形状では、ホログラフィック記録による複数の相互作用があり、相互作用の数は、誘導角度に依存し、したがって、最大出力結合がより複雑になる。アイボックス効率（例えば、「アイボックス」内の光の量と、結合されている光の量との比率）を最適化するために、より低密度のホログラムが使用される。しかし、これにより、アイボックスにわたって著しい強度変化が生じる。したがって、導波路の幾何学的形状では、高いアイボックス効率とアイボックスにわたる強度の均一性との間に葛藤がある。
【０１３４】
これらの問題を緩和するために、スキューミラー（例えば、体積ホログラフィック格子の１つ以上のセットを含む体積ホログラフィック格子構造）は、「櫛状シフト」書込み方法によって、読み取りソースの帯域内のより大きな角度範囲及び／又はより大きな波長範囲に関して、より高い回折効率を呈するように構成されていてもよい。いくつかの実施形態では、スキューミラーホログラム櫛状シフト書込み及び設計された視野（field of view、ＦＯＶ）にわたるホログラムの疎な書込みは、所望のレベルの性能を達成するために必要とされる媒体ダイナミックレンジ（しばしばΔｎと表される）を低減させ得、又は得られる回折効率を高め得る。疎な書込みは典型的に、４．０  ｓｉｎｃピーク−ｓｉｎｃヌルよりも大きな近接周波数ギャップ｜ΔＫＧ｜を有する複数のホログラムを指す。いくつかの実施形態では、疎に書き込まれたホログラムは、約１２近接周波数ギャップ｜ΔＫＧ｜を有する。いくつかの実施形態では、疎に書き込まれたホログラムは、８．０〜１２  ｓｉｎｃピーク−ｓｉｎｃヌルの範囲の近接周波数ギャップ｜ΔＫＧ｜を有する。
【０１３５】
図７には、読み取りソースの帯域内の波長範囲に関して回折角の範囲を低減させる、疎に書き込まれたホログラムの図が示される。図７の例は、読み取りソースの帯域内の波長範囲が、射出瞳孔の方へ回折されないことを実証する。
【０１３６】
図７に示すように、ｋ空間のグラフ７００は、疎に書き込まれたスキューミラー内のホログラムの分布をプロットしており、グラフ７０２は、読み取りソースの帯域幅からの回折光（例えば、単一方向／画素で回折された光のスペクトル）の代表的な図である。グラフ７００によって示すように、スキューミラーは、ホログラムのセットを含み得、セット内の各ホログラムは、点７１４によって示すように、対応する格子周波数ＫＧを有する（例えば、各点７１４は、点から原点までの距離に対応する関連する格子周波数を有する）。セット内の各ホログラムは、例えば、格子媒体の同じ物理体積内にあってもよい（例えば、各ホログラムは、セット内の他のホログラムに重なり、重ね合わされてもよい）。セット内の各ホログラムの格子ベクトルは、（例えば、軸７１６に沿う）同じ方向に向けられ得る。このようにして、セット内のホログラムのそれぞれは、所望の方向に（例えば、アイボックスの方へ）光を反射するための実質的に一定の（均一な）反射軸を呈し得る。各格子周波数は、ｋ空間における点７１４間のギャップ７１２として図７に示されるそれぞれの近接周波数ギャップ｜ΔＫＧ｜（例えば、ギャップ７１２の長さが近接周波数ギャップ｜ΔＫＧ｜を規定する）によって、ホログラムのセットの近接する格子周波数から隔てられ得る。セット内には、ギャップ７１２に関連する近接周波数ギャップ内にあるホログラムがなくてもよい。
【０１３７】
セット内のホログラム（例えば、ｋ空間における点７１４に関連する格子周波数を有するホログラム）はそれぞれ、特定の波長の光を所与の方向に回折させ得る（例えば、ホログラムは、特定の波長にブラッグ整合し得る）。つまり、セット内の各ホログラムは、グラフ７０２のそれぞれのピーク７１０に対応する光を回折させ得る。ホログラムのセットは、包絡線７０４によって示すような「帯域１」、包絡線７０６によって示すような「帯域２」、及び包絡線７０８によって示すような「帯域３」などの、異なる波長帯域内の光を回折させるように構成されていてもよい。帯域１、２、及び３は、回折される光（例えば、図３Ａの投光器３２０によって生成された光）の波長に整合するように選択され得る。一例として、（例えば、ＲＧＢ投影システムの場合）帯域１は青色波長に対応し得、帯域２は緑色波長に対応し得、帯域３は赤色波長に対応し得る。
【０１３８】
ホログラムのセット内の近接周波数ギャップ（例えば、ギャップ７１２に関連する周波数ギャップ）は、（例えば、ホログラムが、ギャップ７１２内になく、ヌル７１８に関連する波長の光にブラッグ整合しないため）スキューミラーによって回折された光にスペクトルヌル７１８を生じさせ得る。このようにして、ホログラムのセットは、波長の関数として櫛状の回折応答を呈し得る。ホログラム分布が所与の光学設計にとって十分に密でない場合、（例えば、特に、インカップルされた光が、整列したピーク７１０を有するスキューミラーの多くの異なる領域を横断するシナリオにおいて）スペクトルヌル７１８は、アイボックスに到達する回折光に望ましくない色ギャップを生じさせる場合がある。
【０１３９】
これらの影響を緩和するために、スキューミラーは、複数の領域にわたるホログラム（格子）の複数のセットを空間多重化することによって、アイボックスに対するより大きな回折パワーが可能になる櫛状シフト操作を実施するように構成されていてもよい。加えて、櫛状シフト操作は、アイボックスのエリアにわたって回折をより均質にし得る。
【０１４０】
図８は、スキューミラーが櫛状シフト操作をどのように実施し得るかを示す。図８に示すように、スキューミラーは、格子媒体８２２の領域８２０にあるホログラムの第１のセット８１６と、格子媒体８２２の領域８１８にあるホログラムの第２のセット８１４と、を含み得る。領域８１８及び８２０は、例えば、領域間でホログラムの重なりがほとんど又は全くないように、互いに横方向にずらされ得る。別の好適な構成では、領域８１８は、領域８２０に部分的に重なってもよい。セット８１６内の各ホログラムは、格子媒体８２２の同じ物理体積内にあってもよい（例えば、各ホログラムは、セット８１６内の他のホログラムに重なり、重ね合わされてもよい）。同様に、セット８１４内の各ホログラムは、格子媒体８２２の同じ物理体積内にあってもよい（例えば、各ホログラムは、セット８１４内の他のホログラムに重なり、重ね合わされてもよい）。入射光８１２は、領域８２０を通過し得る。領域８２０にあるホログラムのセット８１６によって回折されない光８１２は、領域８１８に伝搬し得る。格子媒体８２２内のホログラムのセットは、任意の所望の回折操作（例えば、入力結合、出力結合、クロス結合など）を実施し得る。一例として本明細書に記載される好適な一構成では、格子媒体８２２内のホログラムのセットは、（例えば、光８１２をアイボックス内に回折させるための）出力カプラ８１０を形成するために使用される。
【０１４１】
セット８１６内の各ホログラムは、ｋ空間のグラフ８０２の点７１４（例えば、図７に示すような点７１４）によって示すような対応する格子周波数を有し得る。格子媒体８２２の他の領域にホログラムの他のセットが存在しない場合、近接周波数ギャップ（例えば、図７のギャップ７１２に関連する周波数ギャップ）が、セット８１６の各格子周波数の間に存在してもよい。しかし、セット８１４内のホログラムは、セット８１６内のホログラムに対して櫛状にシフトされてもよい。例えば、セット８１４内の各ホログラムは、ｋ空間のグラフ８０２の点８０８によって示すような対応する格子周波数を有してもよい（各点８０８は、点から原点までの距離に対応する関連する格子周波数を有する）。点８０８に関連する格子周波数は、点７１４に関連する格子周波数間の近接周波数ギャップ内にあるように選択され得る（例えば、点８０８に関連する格子周波数は、図７の点７１４間のギャップ７１２内にあり得る）。点８０８に関連する格子ベクトル（例えば、セット８１４の格子ベクトル）は、（例えば、軸線７１６に沿って）セット８１６の格子ベクトルと同じ方向に向けられ得る。これにより、セット８１４は、（例えば、アイボックスの方へ）セット８１６と同じ方向に光８１２を回折させるように構成されていてもよい。
【０１４２】
セット８１４内の各ホログラムは、グラフ８０４のそれぞれのピーク８０６に対応する光を回折させ得る。格子周波数８０８が、点７１４に関連する格子周波数間の周波数ギャップ内にあるため、セット８１４内の各ホログラムは、セット８１６に関連するピーク７１０間、及び点７１４に関連する格子周波数間のヌルにある波長で光を回折させ得る（例えば、ピーク８０６は、図７のスペクトルヌル７１８内にあり得る）。これらの波長の光８１２が、最初にセット８１６を通過した後に残るため（例えば、これらの波長の光がセット８１６によって回折されないため）、セット８１４は、これらの波長の光を所望の方向に（例えば、アイボックスの方へ）回折させ得る。
【０１４３】
つまり、出力カプラ８１０を、スキュー軸に沿って互いにわずかにシフトされた格子周波数を有するホログラムのそれぞれのセット８１６及び８１４をそれぞれに有する２つの別個の領域８２０及び８１８に分割することで、２つの領域からの回折ピークが、（例えば、グラフ８０４に示すように）互いにインターリーブされ得る。領域８２０からの回折は、領域８１８によって後で回折され得る光８１２を使い果たさない。これにより、領域間でシフトされた格子周波数により、光源の帯域幅内のより多くの光が、アイボックスに回折される（例えば、図３Ａの投光器３２０、読み取りＬＥＤなど）。
【０１４４】
図８の例は、ホログラムの空間多重化された２つのセットのみを含むが、一般に、格子媒体８１２は、図８の左から右に、ホログラムの空間多重化された任意の所望の数のセットを含んでもよい。同様の構造を使用して、第１の瞳孔拡張器（例えば、２Ｄ拡張された導波路内のクロスカプラ）又は光学システム（例えば、出力カプラ、クロスカプラ、及び／若しくは入力カプラ）における任意の他の所望の光方向転換部品の出力効率を高めることもできる。
【０１４５】
図９は、図８のセット８１６及び８１４などの、ホログラムの空間多重化されたセットを有する格子媒体の性能を測定するために使用され得る例示的な光学システム９００を示す。図９に示すように、コリメートされたレーザビーム９０８を使用して、サンプル（例えば、導波路９０６内に配置されたサンプルスキューミラー）のホログラフィック領域９１０をプローブしてもよい。サンプルは、Ｘ−Ｚ平面内で角度９０４だけ回転され得、回折効率は、導波路に結合された光の量によって定量化され得、導波路内に回折／結合された光は、光検出器９０２によって測定される透過強度の低下をもたらす。加えて、サンプルは平行移動され得、回折効率は、サンプル内の異なる空間位置（領域）で測定され得る。この構成では、スキューミラーは入力カプラとして動作する。
【０１４６】
図１０は、櫛状シフトを伴うサンプル規準スキューミラー（例えば、格子媒体全体にわたって全体的に重なり合う１２７のホログラムを有するサンプルスキューミラー）に関して、サンプルの長さに沿った４つの異なる領域でプローブされた、光検出器９０２の測定応答を、図９の角度９０４の関数として示す。図１０における角度の関数としての減少は、例えば、図７及び図８における波長の関数としての（例えば、サンプルをプローブするために使用された、図９のシステム９００の配置による）ピークに対応し得る。図１０に示すように、サンプルは、４つの異なる領域でプローブされ、応答曲線１０００が第１の領域で測定され、応答曲線１００２が第２の領域で測定され、応答曲線１００４が第３の領域で測定され、応答曲線１００６が第４の領域で測定されている。曲線１０００〜１００６によって示すように、ホログラムの角度位置は、４つの領域のそれぞれにわたって同じままである。
【０１４７】
図１１は、４つの領域間の櫛状シフトを伴うサンプルスキューミラーに関して、光検出器９０２の測定応答を、図９の角度９０４の関数として示す。４つの領域のそれぞれは、例えば、他の領域にあるホログラムのセットの周波数ギャップ内にある、ホログラムの対応するセットを含み得る。図１１に示すように、サンプルは、４つの異なる領域のそれぞれでプローブされ、応答曲線１１００が第１の領域で測定され、応答曲線１１０２が第２の領域で測定され、応答曲線１１０４が第３の領域で測定され、応答曲線１１０６が第４の領域で測定されている。
【０１４８】
単なる一例として、第１の領域は、ホログラムの第１のセット（例えば、１２７の同位置ホログラム）を含み得、第２の領域は、ホログラムの第２のセット（例えば、１２７の同位置ホログラム）を含み得、第３の領域は、ホログラムの第３のセット（例えば、１２７の同位置ホログラム）を含み得、第４の領域は、ホログラムの第４のセット（例えば、１２７の同位置ホログラム）を含み得る。各領域は、所望であれば、他の数のホログラムを含んでもよい。第１、第２、第３、及び第４の領域のそれぞれは、単なる一例として、幅がほぼ４．５ｍｍであり得る。各領域内で、その領域の複数のホログラムは、単なる一例として、ほぼ１２  ｓｉｎｃピーク−ｓｉｎｃヌルの平均近接周波数ギャップを有し得る。集合的に、カプラ内の５０８（領域当たり１２７）のすべてのホログラムは、３  ｓｉｎｃピーク−ｓｉｎｃヌルの平均近接周波数ギャップを有する。これは単なる例示にすぎない。各領域は、４〜２０  ｓｉｎｃピーク−ｓｉｎｃヌル、６〜１４  ｓｉｎｃピーク−ｓｉｎｃヌル、２０  ｓｉｎｃピーク−ｓｉｎｃヌル超、４  ｓｉｎｃピーク−ｓｉｎｃヌル超などの近接周波数ギャップを有してもよい。カプラの平均近接周波数ギャップ（例えば、集合的に領域のすべて）は、例えば、領域（セット）のうちの１つの近接周波数ギャップを、領域（セット）の総数で割ったものにほぼ等しくなり得る。
【０１４９】
曲線１１００〜１１０６によって示すように、櫛状シフト式スキューミラーのホログラムの角度位置は、各後続領域において角度１１０８（例えば、ほぼ０．１５度）だけ互いにシフトされる。したがって、各領域内の回折は、後続領域によって後で回折される光を使い果たさない。
【０１５０】
図１０及び図１１に示すデータは、スキューミラー（例えば、櫛状シフト式スキューミラー）内で櫛状シフトする方法を実証する。スキューミラーは、入力カプラ、出力カプラ、インターリーブカプラ、ダイヤモンド拡張器、及び／又はクロスカプラ又は他の光方向転換要素を形成するために使用され得る。櫛状シフト式スキューミラーは、異なる露光領域に関して光源（例えば、ＬＥＤ）の帯域幅内の異なる波長セットからの回折を可能にする。前述したように、これにより、ホログラフィック領域全体にわたるより高い回折効率、及びアイボックスにわたるより一貫した強度がもたらされる。ビームは、一例として、内部誘導角が６０度に設定された、（例えば、図９のシステム９００における）櫛状シフト式スキューミラーに結合され得る。ビームは、出力カプラと複数回（例えば、４回）相互作用し、光検出器によって測定される複数の（例えば、４つの）複製された瞳孔を生成し得る。
【０１５１】
図１０に関連する規準スキューミラーと図１１に関連する櫛状シフト式スキューミラーの両方に関して、出力カプラにわたって測定された回折効率を図１２に示す。図１２に示すように、グラフ１２００の実線は、櫛状シフト式スキューミラーに関して、（例えば、単一格子ではなく出力カプラ内の格子の集合の）出力カプラにわたる回折効率を示し、破線は、櫛状シフトを伴わない規準スキューミラーに関して、（例えば、単一格子ではなく出力カプラ内の格子の集合の）出力カプラにわたる回折効率を示す。グラフ１２０２中の実線は、櫛状シフト式スキューミラーに関して出力カプラにわたる全回折パワーを示すが、破線は、櫛状シフトを伴わない規準スキューミラーに関して出力カプラにわたる全回折パワーを示す。グラフ１２０２及び１２００によって示すように、スキューミラーを櫛状シフトさせることで、射出瞳孔位置にわたって回折効率及び回折パワーを高め得る（例えば、ホログラフィック領域全体にわたって、アイボックスにわたるより一貫した強度を生じさせ得る）。
【０１５２】
上述した櫛状シフト式スキューミラーは、任意の所望の光方向転換の実装形態で使用され得る。１つの好適な構成では、櫛状シフト式スキューミラーは、所望であれば、（例えば、図３に関連して上述したように）アイボックス等化を実施するために使用され得る。櫛状シフト式スキューミラーを生成してアイボックス等化を実施するために、アイボックス内の複数の領域にわたる複数の格子のセットに関して空間多重化を可能にするように、ホログラムの書き込み中に格子媒体の露光領域のサイズを低減させる必要がある。格子の局所密度は、高い回折効率を可能にし、カプラのすべての露光領域の合計は、高いホログラム密度を有する。
【０１５３】
図１３は、アイボックス等化を実施するために、櫛状シフト式スキューミラーをどのように使用し得るかを示す図である。図１３に示すように、入力光１３１４をアイボックス１３０２に方向転換させる出力カプラを形成するために、櫛状シフト式スキューミラー１３２８を使用し得る。櫛状シフト式スキューミラー１３２８（本明細書では櫛状シフト式体積ホログラフィック格子構造１３２８と称されることがある）は、領域１３１６−１、１３１６−２、及び１３１６−３（例えば、図３Ａの領域３１２、３１４、及び３１６などの領域）などの複数の領域１３１６（例えば、アイボックス１３０２の幅に等しい幅を有する領域）に分割された格子媒体１３００を含み得る。各領域１３１６は、入力光をアイボックス１３０２に向かうそれぞれの方向に回折させるように構成されたホログラムの複数のセットを含み得る。例えば、領域１３１６−１内の体積ホログラムは、入力光をアイボックス１３０２に向かう方向１３０４に回折させるように選択された格子周波数を有する格子ベクトルを有し得る。領域１３１６−２内の体積ホログラムは、領域１３１６−１で回折されなかった入力光を、アイボックス１３０２に向かう方向１３０６に回折させるように選択された格子周波数を有する格子ベクトルを有し得る。領域１３１６−３内の体積ホログラムは、領域１３１６−１及び１３１６−２で回折されなかった入力光をアイボックス１３０２に向かう方向１３０８に回折させるように選択された格子周波数を有する格子ベクトルを有し得る（例えば、各領域内の格子ベクトルは、同じ格子ベクトル方向を有し得るが、格子周波数は、光をアイボックスの方へ回折させるように調節される）。
【０１５４】
各領域１３１６は、多数のサブ領域１３２６に分割され得る。各サブ領域１３２６は、近接周波数ギャップによって隔てられた格子周波数を有する体積ホログラムの対応するセットを含み得る（例えば、各サブ領域１３２６は、図８のセット８１６又は８１４などの格子のセットを含み得る）。各領域１３１６内の格子の各セットは、その領域１３１６内の格子の他のセットに対して櫛状にシフトされ得る（例えば、各サブ領域１３２６は、対応する領域１３１６内の他のサブ領域１３２６の近接周波数ギャップを埋める、ホログラムの対応するセットを有し得る）。
【０１５５】
例えば、領域１３１６−３は、複数のサブ領域１３２６を含み得る。領域１３１６−３内の第１の（左端の）サブ領域１３２６は、光を方向１３０８に回折させる格子周波数を有し、近接周波数ギャップによって隔てられた、格子ベクトルの第１のセットを有し得る（例えば、領域１３１６−３内の第１のサブ領域１３２６は、図８に示すように、点７１４に関連する格子周波数を有し得る）。領域１３１６−３内の第２の（左端から２番目の）サブ領域１３２６は、光を方向１３０８に回折させる格子周波数を有し、第１のサブ領域１３２６内のホログラムのセットの近接周波数ギャップ内にある、格子ベクトルを有し得る（例えば、領域１３１６−３内の第２のサブ領域１３２６は、図８に示すように格子周波数８０８を有し得る）。同様に、領域１３１６−３内の後続のサブ領域１３２６は、領域１３１６−３内の前のサブ領域１３２６によってカバーされていない残りの周波数ギャップを埋め得る。このようにして、領域１３１６−３内のサブ領域１３２６内のホログラムの異なるセットは、多くの波長の光をアイボックス１３０２に向かう同じ方向に回折させ得る。これは、（例えば、到達サブ領域１３２６内の）任意の所与の体積の格子媒体１３００内の重ね合わされたホログラムの数を比較的少なくすることを可能にしながら、色の有意なギャップなしに領域１３１６−３からの均一な強度の光でアイボックス１３０２を埋め得る。同様のプロセスは、瞳孔等化を実施するために、スキューミラー１３２８の長さにわたって各領域１３１６内のサブ領域１３２６によって実施され得る。
【０１５６】
櫛状シフトを伴わない規準スキューミラーでは、ホログラムを領域１３１６に書き込むために、スリット１３２２などの比較的大きなスリットが使用される。スリット１３２２は、幅１３１２（例えば、各領域１３１６の幅及びアイボックス１３０２の幅に等しい幅）を有し得る。スリット１３２２は、このシナリオでは、（例えば、格子媒体の残り部分がマスクされている間にスリットを通して格子媒体１３００を照光することによって）ホログラムが領域１３１６全体に１回で書き込まれるように、書き込み中に各領域１３１６の上に配置される。スリットは、他の領域１３１６にホログラムを記録するために、格子媒体１３００の長さにわたって移動される。スキューミラー１３２８などの、櫛状シフトを伴うスキューミラーでは、ホログラムを記録するために、スリット１３２４などのより小さなスリットが使用される。スリット１３２４は、幅１３１２よりも小さな幅１３１０を有し得る（例えば、幅１３２４は、サブ領域１３２６の幅と等しくてもよい）。スリット１３１０は、ホログラムが各サブ領域１３２６に記録され得るように、各サブ領域の上に配置される。スリットは、他のサブ領域１３２６にホログラムを記録するために、格子媒体１３００の長さにわたって移動される。
【０１５７】
隔てられた３つの領域１３１６のみを示す図１３の例は、単なる例示に過ぎない。実際には、所望であれば、より微細な粒度で瞳孔等化を実施するために、図１３に示す領域に重なる他の領域１３１６が存在してもよい。可能性のある重複領域１３１６のセットのそれぞれは、重なり合わないサブ領域１３２６のそれ自体の対応するセットによってそれぞれにわたり得る。
【０１５８】
いくつかの実施形態では、入力カプラを形成するために、本明細書に記載されるような櫛状シフト式スキューミラーを使用してもよい。入力カプラを含むいくつかの実施形態では、大きな入力カプラを必要とする、ＦＯＶ全体のアイボックスにわたる最適な瞳孔縫合のための大きな瞳孔が望ましい場合がある。しかし、輝度に関して最適化された規準スキューミラー入力カプラでは、これにより、導波路に結合されることがない多くの角度及び光学帯域幅、並びに誘導モードとの重なり及び入力カプラの物理的範囲による大きな損失が生じる場合がある。櫛状シフト式スキューミラーを入力カプラに使用することにより、より多くの角度及び光学帯域幅が瞳孔にわたってサンプリングされることになり、入力カプラによる出力結合の量は、櫛状にシフトされた異なる領域が、角度及び光学帯域幅の異なる部分をサンプリングしているため、大幅に低減されるか又は無くされることになる。ホログラムの櫛状にシフトされたセットを有する入力カプラの図を図１４に示す。
【０１５９】
図１４に示すように、入力カプラ１４００は、領域Ａ内の第１のセット１４０６、領域Ｂ内の第２のセット１４０８、及び領域Ｃ内の第３のセット１４１０などの、ホログラムの複数のセット（サブ領域）を有する櫛状シフト式スキューミラーを含み得る。各領域の格子ベクトルは、光１４１２によって示すように、入力光１４０４を導波路１４０２に結合するように向けられ得る。セット１４０８の格子周波数は、セット１４０６及び１４１０の格子周波数間の近接周波数ギャップ内にあってもよい（例えば、セット１４０６の格子周波数は、セット１４０８及び１４１０の格子周波数に対して櫛状にシフトされ得る）。
【０１６０】
本明細書では種々の実施形態について説明及び例示してきたが、本明細書で説明した機能を行い並びに／又は結果及び／若しくは優位点の１つ以上を取得するための他の手段及び／又は構造を使用してもよく、このような変形及び／又は変更はそれぞれ、本明細書で説明した実施形態の範囲内であるとみなされる。より一般的には、本明細書で説明したすべてのパラメータ、寸法、材料、及び構成は単に例示的であり、実際のパラメータ、寸法、材料、及び／又は構成は、実施形態を用いる特定の応用例又は応用例に依存し得る。実施形態を任意の所望の組み合わせで実施してもよい。また、種々のコンセプトを、例を示した１つ以上の方法、デバイス、又はシステムとして具体化してもよい。方法又は動作の一部として行う行為を、任意の好適な方法で順序付けてもよい。したがって、実施形態を、図解されたものと異なる順序で動作を遂行するように構成されていてもよく、実施形態においては順次動作として示されていても、複数の動作を同時に遂行することも含み得る。本明細書で使用する場合、１つ以上の要素のリストに関する「少なくとも１つの〜」という句は、要素のリスト内の任意の１つ以上の要素から選択された少なくとも１つの要素を意味するものであるが、要素のリスト内に具体的に列記されたすべての要素のうちの少なくとも１つを必ずしも含むわけではなく、また要素のリスト内の要素の任意の組み合わせを除外しないことを理解されたい。移行句、例えば「備える」、「含む」、「保持する」、「有する」、「含有する」、「伴う」、「保持する」、「からなる」などはオープンエンドであると、すなわち、含んでいるが限定されないことを意味すると理解されたい。「ほぼ」という用語は、所与の値の±１０％を参照するものである。
【０１６１】
本明細書で使用される「ほぼ」という用語は、所与の値の±１０％を指す。「約」という用語は、所与の値の±２０％を参照するものである。反射光に関する「主に」という用語は、格子構造によって反射された光を指す。主に記載の角度で反射される光は、他の角度で反射されるよりも多くの光を含む（表面反射を除く）。列挙された反射軸を中心として主に反射される光は、他の反射軸を中心として反射されるよりも多くの反射光を含む（表面反射を除く）。主に反射される光を考慮する場合、デバイス表面で反射される光は含まれない。「反射軸」という用語は、入射光の、その反射に対する角度を二分する軸を参照するものである。入射光の、入射角の反射軸に対する絶対値は、反射軸に対する入射光の反射の反射角の絶対値に等しい。既存のミラーに関して、反射軸は面法線と一致する（つまり、反射軸はミラー表面に対して垂直である）。反対に、本開示によるスキューミラーの実装形態は、面法線と異なる反射軸を有し得、又は、一部の場合には、面法線と一致する反射軸を有し得る。反射軸角度を、入射角をその対応する反射角に加えて、得られた合計を２で割ることによって判定してもよい。入射角及び反射角は、平均値を得るために使用される複数の（一般に３回以上の）測定で実験的に判定され得る。
【０１６２】
この開示では、「回折」が通常は適切な用語と考えられ得るいくつかの場合において、「反射」及び類似の用語が使用されている。この「反射」の使用は、スキューミラーが発揮するミラー状の特性と合致し、混乱を招く可能性のある用語法を回避するのに役立つ。例えば、格子構造が入射光を「反射する」ように構成されていると言う場合には、格子構造が光に対して回折によって作用すると一般に考えられているので、既存の技工は、格子構造が入射光を「回折する」ように構成されていると言うのを好む可能性がある。しかしながら、「回折させる」という用語をそのように使用すると、「入射光が実質的に一定の反射軸を中心として回折される」などといった表現をもたらすことになり、紛らわしくなる恐れがある。それゆえに、入射光が格子構造によって「反射された」と言う場合、当該技術分野に精通している者なら、この開示の利点を考慮すると、格子構造が実際には回折の機構によって光を「反射している」ことを認識するであろう。"そのような「反射する」の使用は、既存のミラーが、そのような反射における「回折」の主な役割にもかかわらず、一般に、光を「反射する」と言われているので、光学部品における先例がないわけではない。したがって、ほとんどの「反射」は回折の特性を含み、また、スキューミラー又はその部品による「反射」は回折も含むことが、当業者には認識される。
【０１６３】
「光」という用語は、電磁放射線を指す。特定の波長、又は人間の目に見える電磁スペクトルの一部分を指す「可視光」などの波長の範囲が参照されていなければ、電磁放射はあらゆる波長を有し得る。「ホログラム」及び「ホログラフィック格子」という用語は、複数の交差する光ビーム間の干渉によって発生した干渉パターンの記録を参照するものである。いくつかの例では、ホログラム又はホログラフィック格子は、それぞれが露光時間にわたって不変のままである複数の交差する光ビーム間の干渉によって発生され得る。他の例では、ホログラムが記録されている間に、格子媒体上の複数の交差する光ビームの少なくとも１つの入射角が変化する場合、及び／又はホログラムが記録されている間に波長が変化する場合（例えば複素ホログラム又は複素ホログラフィック格子）、複数の交差する光ビーム間の干渉によってホログラム又はホログラフィック格子が発生し得る。
【０１６４】
「正弦曲線の体積格子」という用語は、体積領域の全体にわたって実質的に正弦曲線のプロファイルで調整された屈折率などの光学的性質を有する光学部品を参照するものである。それぞれの（簡単な／正弦波）格子は、ｋ空間における単一の共役ベクトル対（又はｋ空間における実質的に点状の共役対の分布）に対応する。「回折効率」という用語は、格子媒体上での入射光に対する反射光のパワーとの比を指す。「入射瞳孔」という用語は、結像光学系に入る光線を、その最小サイズで通す実開口部又は仮想開口部を参照するものである。「アイボックス」という用語は、領域の輪郭を描く２次元領域を参照するものであり、ここにおいて、人間の瞳孔は、格子構造からの所定距離において図の全視野を観察するように置かれ得る。「瞳孔距離」という用語は、格子構造と、対応するアイボックスの間の所定距離を参照するものである。「射出瞳孔」という用語は、結像光学系から出る光線を、その最小サイズで通す実開口部又は仮想開口部を参照するものである。使用において、結像光学系システムは、典型的には、光線を画像キャプチャ手段の方へ向けるように構成されている。画像キャプチャ手段の例として、ユーザの眼、カメラ、又は他の光検出器が挙げられるが、これらに限定されない。一部の場合には、射出瞳孔は、結像光学系から出る光線のサブセットを含んでもよい。
【０１６５】
「格子媒体」という用語は、光の反射する格子構造で構成された物理的媒体を参照するものである。格子媒体は複数の格子構造を含み得る。「格子構造」という用語は、光を反射するように構成された１つ以上の格子を参照するものである。いくつかの例では、格子構造は、少なくとも１つの共通の属性又は特性（例えば、その組の格子のそれぞれが応答する、光の同一の波長）を共有する１組の格子を含み得る。いくつかの実装形態では、格子構造は１つ以上のホログラムを含み得る。他の実装形態では、格子構造は１つ以上の正弦曲線の体積格子を含み得る。いくつかの例では、格子構造は、１つ以上の格子（例えばホログラム又は正弦曲線の格子）のそれぞれについて、反射軸に対して均一であり得る。代わりに又は加えて、格子構造は、格子媒体内の１つ以上の格子（例えばホログラム又は正弦波体積格子）のそれぞれについて、長さ又は体積に関して均一であり得る。本明細書に記載されるようなスキューミラーは、本明細書では、格子構造、ホログラフィック格子構造、又は体積ホログラフィック格子構造と称される場合もある。
【０１６６】
一実施形態によれば、光学デバイスであって、格子媒体と、格子媒体の第１の領域にあるホログラムの第１のセットであって、第１のセット内のホログラムのそれぞれが、第１のセット内の他のホログラムのそれぞれに少なくとも部分的に重なり、第１のセット内のホログラムのそれぞれが、格子周波数の第１のセットからのそれぞれ異なる格子周波数を有する、ホログラムの第１のセットと、格子媒体の第２の領域にあるホログラムの第２のセットであって、第２のセット内のホログラムのそれぞれが、第２のセット内の他のホログラムのそれぞれに少なくとも部分的に重なり、第２のセット内のホログラムのそれぞれが、格子周波数の第２のセットからのそれぞれ異なる格子周波数を有し、格子周波数の第２のセットが、格子周波数の第１のセット内の格子周波数間の近接周波数ギャップ内に位置している、ホログラムの第２のセットと、を含む光学デバイスが提供される。
【０１６７】
上記実施形態の任意の組み合わせによれば、ホログラムの第１のセットは、第１の格子周波数を有する第１のホログラムと、第１の格子周波数から第１の近接周波数ギャップによって隔てられた第２の格子周波数を有する第２のホログラムと、を含む。
【０１６８】
上記実施形態の任意の組み合わせによれば、ホログラムの第２のセットは、第３の格子周波数を有する第３のホログラムと、第３の格子周波数から第２の近接周波数ギャップによって隔てられた第４の格子周波数を有する第４のホログラムと、を含む。
【０１６９】
上記の実施形態の任意の組み合わせによれば、第３の格子周波数は、第１の近接周波数ギャップ内にある。
【０１７０】
上記の実施形態の任意の組み合わせによれば、第２の格子周波数は、第２の近接周波数ギャップ内にある。
【０１７１】
上記実施形態の任意の組み合わせによれば、第１のセット内のホログラムのそれぞれは、所与の方向を指す対応する格子ベクトルを有し、第２のセット内のホログラムのそれぞれは、所与の方向を指す対応する格子ベクトルを有する。
【０１７２】
上記実施形態の任意の組み合わせによれば、ホログラムの第１のセットの平均近接周波数ギャップが、４．０  ｓｉｎｃピーク−ｓｉｎｃヌルよりも大きい。
【０１７３】
上記の実施形態の任意の組み合わせによれば、光学デバイスは、格子媒体並びにホログラムの第１及び第２のセットを含む、出力カプラを更に含む。
【０１７４】
上記の実施形態の任意の組み合わせによれば、光学デバイスは、格子媒体並びにホログラムの第１及び第２のセットを含む、入力カプラを更に含む。
【０１７５】
上記の実施形態の任意の組み合わせによれば、光学デバイスは、格子媒体並びにホログラムの第１及び第２のセットを含む、クロスカプラを更に含む。
【０１７６】
上記実施形態の任意の組み合わせによれば、第１のセット内のホログラムのそれぞれは、所与の角度から０．５０度以内にある格子ベクトルを有する。
【０１７７】
別の実施形態によれば、光学システムであって、第１及び第２の領域を有する格子媒体であって、第２の領域が、第１及び第２のサブ領域を有する、格子媒体と、第１の領域にあるホログラムの第１のセットであって、入力光の第１の部分を第１の方向に回折させるように、かつ入力光の第２の部分を第２の領域に通過させるように構成されている、ホログラムの第１のセットと、第１のサブ領域にあるホログラムの第２のセットと、第２のサブ領域にあるホログラムの第３のセットであって、ホログラムの第２及び第３のセットが、入力光の第２の部分を、第１の方向とは異なる第２の方向に回折させるように構成されており、ホログラムの第３のセットが、ホログラムの第２のセットに対して櫛状にシフトされている、ホログラムの第３のセットと、を含む光学システムが提供される。
【０１７８】
上記実施形態の任意の組み合わせによれば、ホログラムの第２のセットは、近接周波数ギャップによって隔てられた第１の格子周波数を有し、ホログラムの第３のセットは、第１の格子周波数の近接周波数ギャップ内にある第２の格子周波数を有する。
【０１７９】
上記実施形態の任意の組み合わせによれば、ホログラムの第２のセットの平均近接周波数ギャップが、４．０  ｓｉｎｃピーク−ｓｉｎｃヌルよりも大きい。
【０１８０】
上記の実施形態の任意の組み合わせによれば、第１のサブ領域は、格子媒体の第２のサブ領域と第１の領域との間に介在している。
【０１８１】
上記実施形態の任意の組み合わせによれば、ホログラムの第１のセットは、第１の方向に向けられた第１の格子ベクトルを有し、ホログラムの第２のセットは、第２の方向に向けられた第２の格子ベクトルを有し、ホログラムの第３のセットは、第２の方向に向けられた第３の格子ベクトルを有する。
【０１８２】
上記の実施形態の任意の組み合わせによれば、格子媒体は第３の領域を有し、第２の領域は、第１の領域と第３の領域との間に介在しており、光学システムは、第３の領域にあるホログラムの第４のセットであって、ホログラムの第２及び第３のセットによって回折されない光の第２の部分の少なくとも一部を、第１及び第２の方向とは異なる第３の方向に回折させるように構成されている、ホログラムの第４のセットを更に含む。
【０１８３】
別の実施形態によれば、ヘッドマウントディスプレイデバイスであって、第１及び第２の基材と、第１の基材と第２の基材との間の格子媒体であって、重なり合わない第１及び第２の領域を有する格子媒体と、第１の領域内の同位置にある第１及び第２のホログラムであって、第１のホログラムが第１の格子周波数を有し、第２のホログラムが、第１の格子周波数から近接周波数ギャップによって隔てられた第２の格子周波数を有する、第１及び第２のホログラムと、第２の領域内の同位置にある第３及び第４のホログラムであって、第３のホログラムが、近接周波数ギャップ内の第３の格子周波数を有する、第３及び第４のホログラムと、を含むヘッドマウントディスプレイデバイスが提供される。
【０１８４】
上記実施形態の任意の組み合わせによれば、第４のホログラムは、第３の格子周波数から追加の近接周波数ギャップによって隔てられた第４の格子周波数を有し、第２の格子周波数は、追加の近接周波数ギャップ内にある。
【０１８５】
上記実施形態の任意の組み合わせによれば、ヘッドマウントディスプレイは、画像担持光を提供するための光源であって、第１及び第２のホログラム並びに第３及び第４のホログラムが、画像担持光の少なくとも一部を、第２の基材の表面から一定の距離にある射出瞳孔の方へ回折させるように構成されている、光源を更に含む。
【０１８６】
前述は、単なる例示に過ぎず、説明された実施形態に対して多様な変更を行うことができる。前述の実施形態は、個別に又は任意の組み合わせで実施することができる。
【図１】
2020536280.tif 000052
【図２Ａ】
2020536280.tif 000053
【図２Ｂ】
2020536280.tif 000054
【図３Ａ】
2020536280.tif 000055
【図３Ｂ】
2020536280.tif 000056
【図４Ａ】
2020536280.tif 000057
【図４Ｂ】
2020536280.tif 000058
【図４Ｃ】
2020536280.tif 000059
【図５】
2020536280.tif 000060
【図６】
2020536280.tif 000061
【図７】
2020536280.tif 000062
【図８】
2020536280.tif 000063
【図９】
2020536280.tif 000064
【図１０】
2020536280.tif 000065
【図１１】
2020536280.tif 000066
【図１２】
2020536280.tif 000067
【図１３】
2020536280.tif 000068
【図１４】
2020536280.tif 000069
【国際調査報告】
2020536280.tif 000070
2020536280.tif 000071
2020536280.tif 000072